(57)【要約】  本開示の実施形態は、サウンディング参照信号（ＳＲＳ）伝送のための方法、デバイス、及びコンピュータ読み取り可能な媒体に関する。例示的な実施形態では、端末デバイスで実装される方法が提供される。該方法によれば、端末デバイスは、ネットワークデバイスからダウンリンク制御情報（ＤＣＩ）を受信する。ＤＣＩが非周期的ＳＲＳに対する第１トリガを含み、且つ非周期的ＳＲＳが参照信号（ＲＳ）に関連付けられたことに応答して、端末デバイスは、ネットワークデバイスからＲＳを受信する。端末デバイスは、さらに、受信したＲＳに基づいて、非周期的ＳＲＳに関するプリコーディング情報を決定する。そして、端末デバイスは、プリコーディング情報に基づいて、非周期ＳＲＳをネットワークデバイスに伝送する。【選択図】図６
2021530123.tif 000002
【特許請求の範囲】
【請求項１】
端末デバイスで実装される方法であって、
ネットワークデバイスからダウンリンク制御情報（ＤＣＩ）を受信することと、
前記ＤＣＩが非周期的サウンディング参照信号（ＳＲＳ）に対する第１トリガを含み、且つ前記非周期的ＳＲＳが参照信号（ＲＳ）に関連付けられたことに応答して、前記ネットワークデバイスから前記ＲＳを受信することと、
前記受信したＲＳに基づいて、前記非周期的ＳＲＳに関するプリコーディング情報を決定することと、
前記プリコーディング情報に基づいて、前記非周期的ＳＲＳを前記ネットワークデバイスに伝送することと、
を含む方法。
【請求項２】
前記ＲＳは、非周期的チャネル状態情報参照信号（ＣＳＩ−ＲＳ）、周期的ＣＳＩ−ＲＳ、半永続的ＣＳＩ−ＲＳ、復調参照信号（ＤＭＲＳ）、位相トラッキング参照信号（ＰＴＲＳ）、トラッキング参照信号（ＴＲＳ）及びＳＲＳのうちのいずれかである、
請求項１に記載の方法。
【請求項３】
前記非周期的ＳＲＳに関連付けられた前記ＲＳは非周期的ＣＳＩ−ＲＳであり、前記ＤＣＩは第１スロットで受信され、
前記ＲＳを受信することは、
前記第１スロットで前記ネットワークデバイスから前記非周期的ＣＳＩ−ＲＳを受信することを含む、
請求項１に記載の方法。
【請求項４】
前記非周期的ＳＲＳに関連付けられた前記ＲＳは周期的ＣＳＩ−ＲＳ又は半永続的ＣＳＩ−ＲＳであり、前記ＤＣＩは第１スロットで受信され、
前記ＲＳを受信することは、
前記第１スロットと異なる第２スロットで前記ネットワークデバイスから前記周期的ＣＳＩ−ＲＳ又は半永続的ＣＳＩ−ＲＳを受信することを含む、
請求項１に記載の方法。
【請求項５】
前記非周期的ＳＲＳを伝送することは、
前記ネットワークデバイスからの前記ＲＳの受信と、前記非周期的ＳＲＳの伝送との間の時間間隔を決定することと、
前記時間間隔に基づいて、前記非周期的ＳＲＳを前記ネットワークデバイスに伝送することと、を含む、
請求項１に記載の方法。
【請求項６】
前記非周期的ＳＲＳに関連付けられた前記ＣＳＩ−ＲＳは、非周期的ＣＳＩ−ＲＳであり、前記時間間隔は、所定の直交周波数分割多重シンボル数以上である、
請求項５に記載の方法。
【請求項７】
前記非周期的ＳＲＳに関連付けられた前記ＣＳＩ−ＲＳは、周期的ＣＳＩ−ＲＳ又は半永続的ＣＳＩ−ＲＳであり、前記時間間隔は、前記所定の直交周波数分割多重シンボル数未満である、
請求項５に記載の方法。
【請求項８】
前記非周期的ＳＲＳに関連付けられた前記ＲＳは、ＣＳＩ−ＲＳであり、
前記方法は、
前記ネットワークデバイスから、前記非周期的ＳＲＳと前記ＣＳＩ−ＲＳとの関連付けに関する第１配置を受信することと、
前記第１配置に基づいて、前記非周期的ＳＲＳに関連付けられた前記ＣＳＩ−ＲＳが非周期的であるか、周期的であるか、又は半永続的であるかを決定することと、をさらに含む、
請求項１に記載の方法。
【請求項９】
前記ＲＳを受信することは、
少なくとも前記第１配置に基づいて、前記ネットワークデバイスから前記ＣＳＩ−ＲＳを受信することを含む、
請求項８に記載の方法。
【請求項１０】
前記非周期的ＳＲＳと前記ＲＳとの間の空間的関係を示す第２配置を前記ネットワークデバイスから受信することと、
前記第２配置に基づいて、前記非周期的ＳＲＳに関連付けられた前記ＲＳを決定することと、をさらに含む、
請求項１に記載の方法。
【請求項１１】
前記非周期的ＳＲＳに関連付けられた前記ＣＳＩ−ＲＳは非周期的ＣＳＩ−ＲＳであり、前記非周期的ＣＳＩ−ＲＳは前記非周期的ＳＲＳに対する前記第１トリガによってトリガされ、
前記ＲＳを受信することは、
前記非周期的ＣＳＩ−ＲＳを受信するための第１スロットオフセットを決定することと、
前記第１スロットオフセットに基づいて前記非周期的ＣＳＩ−ＲＳを受信することと、を含む、
請求項１に記載の方法。
【請求項１２】
前記非周期的ＳＲＳを伝送することは、
少なくとも前記第１スロットオフセットに基づいて、前記非周期的ＳＲＳを前記ネットワークデバイスに伝送するための第２スロットオフセットを決定することと、
前記第２スロットオフセットに基づいて前記非周期的ＳＲＳを前記ネットワークデバイスに伝送することと、を含む、
請求項１１に記載の方法。
【請求項１３】
前記非周期的ＳＲＳに関連付けられた前記ＣＳＩ−ＲＳは非周期的ＣＳＩ−ＲＳであり、前記ＤＣＩは前記非周期的ＣＳＩ−ＲＳに対する第２トリガをさらに含む、
請求項５に記載の方法。
【請求項１４】
ネットワークデバイスで実装される方法であって、
ダウンリンク制御情報（ＤＣＩ）を端末デバイスに伝送することと、
前記ＤＣＩが非周期サウンディング参照信号（ＳＲＳ）に対する第１トリガを含み、且つ前記非周期ＳＲＳが参照信号（ＲＳ）に関連付けられたことに応答して、前記ＲＳを前記端末デバイスに伝送することと、
前記端末デバイスから前記非周期的ＳＲＳを受信し、前記非周期的ＳＲＳは、前記端末デバイスによって少なくとも前記ＲＳに基づいて伝送されることと、
を含む方法。
【請求項１５】
前記ＲＳは、非周期的チャネル状態情報参照信号（ＣＳＩ−ＲＳ）、周期的ＣＳＩ−ＲＳ、半永続的ＣＳＩ−ＲＳ、復調参照信号（ＤＭＲＳ）、位相トラッキング参照信号（ＰＴＲＳ）、トラッキング参照信号（ＴＲＳ）、及びＳＲＳのうちのいずれかである、
請求項１４に記載の方法。
【請求項１６】
前記非周期的ＳＲＳに関連付けられた前記ＲＳは非周期的ＣＳＩ−ＲＳであり、前記ＤＣＩは第１スロットで伝送され、
前記ＲＳを伝送することは、
前記第１スロットで前記非周期的ＣＳＩ−ＲＳを前記端末デバイスに伝送することを含む、
請求項１５に記載の方法。
【請求項１７】
前記非周期的ＳＲＳに関連付けられた前記ＲＳは周期的ＣＳＩ−ＲＳ又は半永続的ＣＳＩ−ＲＳであり、前記ＤＣＩは第１スロットで伝送され、
前記ＲＳを伝送することは、
前記第１スロットと異なる第２スロットで前記周期的ＣＳＩ−ＲＳ又は半永続的ＣＳＩ−ＲＳを前記端末デバイスに伝送することを含む、
請求項１５に記載の方法。
【請求項１８】
前記非周期的ＳＲＳを受信することは、
前記ネットワークデバイスから前記端末デバイスへの前記ＲＳの受信と、前記端末デバイスから前記ネットワークデバイスへの前記非周期的ＳＲＳの伝送との間の時間間隔を決定することと、
前記時間間隔に基づいて前記端末デバイスから前記非周期的ＳＲＳを受信することと、を含む、
請求項１５に記載の方法。
【請求項１９】
前記非周期的ＳＲＳに関連付けられた前記ＣＳＩ−ＲＳは、非周期的ＣＳＩ−ＲＳであり、前記時間間隔は、所定の直交周波数分割多重シンボル数以上である、
請求項１８に記載の方法。
【請求項２０】
前記非周期的ＳＲＳに関連付けられた前記ＣＳＩ−ＲＳは、周期的ＣＳＩ−ＲＳ又は半永続的ＣＳＩ−ＲＳであり、前記時間間隔は、前記所定の直交周波数分割多重シンボル数未満である、
請求項１８に記載の方法。
【請求項２１】
前記非周期的ＳＲＳに関連付けられた前記ＲＳはＣＳＩ−ＲＳであり、
前記方法は、
前記非周期的ＳＲＳと前記ＣＳＩ−ＲＳとの関連付けに関する第１配置を前記端末デバイスに伝送することをさらに含み、
前記第１配置は、前記非周期的ＳＲＳに関連付けられた前記ＣＳＩ−ＲＳが非周期的であるか、周期的であるか、又は半永続的であるかを示す、
請求項１５に記載の方法。
【請求項２２】
前記ＲＳを伝送することは、
少なくとも前記第１配置に基づいて前記ＣＳＩ−ＲＳを前記端末デバイスに伝送することを含む、
請求項２１に記載の方法。
【請求項２３】
前記端末デバイスが、前記非周期的ＳＲＳと前記ＲＳとの間の空間的関係を示す第２配置に基づいて、前記非周期的ＳＲＳに関連付けられた前記ＲＳを決定するように、前記第２配置を前記端末デバイスに伝送することをさらに含む、
請求項１５に記載の方法。
【請求項２４】
前記非周期的ＳＲＳに関連付けられた前記ＣＳＩ−ＲＳは非周期的ＣＳＩ−ＲＳであり、前記非周期的ＣＳＩ−ＲＳは前記非周期的ＳＲＳに対する前記第１トリガによってトリガされ、
前記ＲＳを伝送することは、
前記非周期的ＣＳＩ−ＲＳを伝送するための第１スロットオフセットを決定することと、
前記第１スロットオフセットに基づいて前記非周期的ＣＳＩ−ＲＳを伝送することと、を含む、
請求項１５に記載の方法。
【請求項２５】
前記非周期的ＳＲＳを受信することは、
少なくとも前記第１スロットオフセットに基づいて、前記端末デバイスから前記非周期的ＳＲＳを受信するための第２スロットオフセットを決定することと、
前記第２スロットオフセットに基づいて、前記端末デバイスから前記非周期的ＳＲＳを受信することと、を含む、
請求項２４に記載の方法。
【請求項２６】
前記非周期的ＳＲＳに関連付けられた前記ＣＳＩ−ＲＳは非周期的ＣＳＩ−ＲＳであり、前記ＤＣＩは前記非周期的ＣＳＩ−ＲＳに対する第２トリガをさらに含む、
請求項１８に記載の方法。
【請求項２７】
デバイスであって、
プロセッサと、
前記プロセッサに接続され、命令が格納されるメモリと、
を備え、
前記命令は、前記プロセッサによって実行されると、前記デバイスに請求項１から１３のいずれか一項に記載の方法を実行させる、
デバイス。
【請求項２８】
デバイスであって、
プロセッサと、
前記プロセッサに接続され、命令が格納されるメモリと、
を備え、
前記命令は、前記プロセッサによって実行されると、前記デバイスに請求項１４から２６のいずれか一項に記載の方法を実行させる、
デバイス。
【請求項２９】
少なくとも１つのプロセッサで実行されると、前記少なくとも１つのプロセッサに請求項１から１３のいずれか一項に記載の方法を実行させる命令が格納されたコンピュータ読み取り可能な媒体。
【請求項３０】
少なくとも１つのプロセッサで実行されると、前記少なくとも１つのプロセッサに請求項１４から２６のいずれか一項に記載の方法を実行させる命令が格納されたコンピュータ読み取り可能な媒体。
【発明の詳細な説明】
【技術分野】
【０００１】
本開示の実施形態は、一般的に、電気通信の分野に関し、特に、サウンディング参照信号（ＳＲＳ：Ｓｏｕｎｄｉｎｇ  Ｒｅｆｅｒｅｎｃｅ  Ｓｉｇｎａｌ）伝送のための方法、デバイス、及びコンピュータ読み取り可能な媒体に関する。
【背景技術】
【０００２】
通信技術の発展に伴い、複数のタイプのサービスやトラフィックが提案されており、例えば、一般的に高いデータレートが要求される拡張モバイルブロードバンド（ｅＭＢＢ：ｅｎｈａｎｃｅｄ  Ｍｏｂｉｌｅ  Ｂｒｏａｄｂａｎｄ）、通常長い電池寿命が要求される大容量マシン型通信（ｍＭＴＣ：ｍａｓｓｉｖｅ  Ｍａｃｈｉｎｅ  Ｔｙｐｅ  Ｃｏｍｍｕｎｉｃａｔｉｏｎ）、及び超高信頼・低遅延通信（ＵＲＬＬＣ：Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）がある。一方、新しい無線アクセス（ＮＲ：ｎｅｗ  ｒａｄｉｏ  ａｃｃｅｓｓ）のために、ビーム管理、参照信号（ＲＳ：Ｒｅｆｅｒｅｎｃｅ  Ｓｉｇｎａｌ）伝送などのマルチアンテナ方式が研究されている。
【０００３】
ＮＲでは、ダウンリンク制御情報（ＤＣＩ：Ｄｏｗｎｌｉｎｋ  Ｃｏｎｔｒｏｌ  Ｉｎｆｏｒｍａｔｉｏｎ）を介して非周期的ＳＲＳ（ＡＰ−ＳＲＳ：ａｐｅｒｉｏｄｉｃ  ＳＲＳ）のためのアップリンク（ＵＬ：ｕｐｌｉｎｋ）候補プリコーダを決定するために、端末デバイスに対してダウンリンク（ＤＬ：ｄｏｗｎｌｉｎｋ）測定ＲＳ（例えば、チャネル状態情報参照信号（ＣＳＩ−ＲＳ：Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ））を示すことがサポートされている。また、上位層シグナリングを介して周期的ＳＲＳ（Ｐ−ＳＲＳ：ｐｅｒｉｏｄｉｃ  ＳＲＳ）又は半永続的ＳＲＳ（ＳＰ−ＳＲＳ：ｓｅｍｉ−ｐｅｒｓｉｓｔｅｎｔ  ＳＲＳ）のためのＵＬ候補プリコーダを決定するために、端末デバイスに対してＤＬ測定ＲＳ（例えば、ＣＳＩ−ＲＳ）を示すこともサポートされている。ＡＰ−ＳＲＳは、非周期的ＣＳＩ−ＲＳ（ＡＰ−ＣＳＩ−ＲＳ）と関連付けられることができる。ＡＰ−ＣＳＩ−ＲＳは、ＡＰ−ＳＲＳのトリガを含むＤＣＩと同じスロットで伝送されることができる。ＳＲＳ（例えば、ＡＰ−ＳＲＳ、Ｐ−ＳＲＳ又はＳＰ−ＳＲＳ）は、周期的ＣＳＩ−ＲＳ（Ｐ−ＣＳＩ−ＲＳ）又は半永続的ＣＳＩ−ＲＳ（ＳＰ−ＣＳＩ−ＲＳ）と関連付けられることができる。
【０００４】
ＡＰ−ＣＳＩ−ＲＳがＡＰ−ＳＲＳに関連付けられ、且つＡＰ−ＳＲＳに対するトリガがＤＣＩにおけるＳＲＳ要求フィールドに含まれている場合、ＡＰ−ＣＳＩ−ＲＳはＤＣＩと同じスロットで伝送されることができる。ただし、ＳＲＳ要求フィールドはトリガされるＡ−ＳＲＳがないことを示す場合、ＣＳＩ−ＲＳ伝送をどのように進めるかは指定されていない。また、Ｐ−ＣＳＩ−ＲＳ又はＳＰ−ＣＳＩ−ＲＳがＡＰ−ＳＲＳに関連付けられた場合、ＡＰ−ＳＲＳ伝送及びＰ−ＣＳＩ−ＲＳ又はＳＰ−ＣＳＩ−ＲＳ伝送をどのように進めるかは指定されていない。
【発明の概要】
【発明が解決しようとする課題】
【０００５】
一般的に、本開示の例示的な実施形態は、ＳＲＳ伝送のための方法、デバイス、及びコンピュータ読み取り可能な媒体を提供する。
【課題を解決するための手段】
【０００６】
本開示の第１態様では、端末デバイスで実装される方法が提供される。この方法によれば、端末デバイスは、ネットワークデバイスからダウンリンク制御情報（ＤＣＩ）を受信する。ＤＣＩが非周期的ＳＲＳに対する第１トリガを含み、且つ非周期的ＳＲＳが参照信号（ＲＳ）に関連付けられたことに応答して、端末デバイスはネットワークデバイスからＲＳを受信する。端末デバイスは、さらに、受信したＲＳに基づいて、非周期的ＳＲＳに関するプリコーディング情報を決定する。そして、端末デバイスは、プリコーディング情報に基づいて、非周期的ＳＲＳをネットワークデバイスに伝送する。
【０００７】
第２態様では、ネットワークデバイスで実装される方法が提供される。この方法によれば、ネットワークデバイスは、ダウンリンク制御情報（ＤＣＩ）を端末デバイスに伝送する。ＤＣＩが非周期的ＳＲＳに対する第１トリガを含み、且つ非周期的ＳＲＳが参照信号（ＲＳ）に関連付けられたことに応答して、ネットワークデバイスは、ＲＳを端末デバイスに伝送する。そして、ネットワークデバイスは、端末デバイスから非周期的ＳＲＳを受信する。非周期的ＳＲＳは、端末デバイスによって少なくともＲＳに基づいて伝送される。
【０００８】
第３態様では、デバイスが提供される。このデバイスは、プロセッサと、プロセッサに接続されているメモリとを備える。メモリは、プロセッサによって実行されると、デバイスに動作を実行させる命令を格納する。上記動作は、ネットワークデバイスからダウンリンク制御情報（ＤＣＩ）を受信することと、ＤＣＩが非周期的ＳＲＳに対する第１トリガを含み、且つ非周期的ＳＲＳが参照信号（ＲＳ）に関連付けられたことに応答して、ネットワークデバイスからＲＳを受信することと、受信したＲＳに基づいて、非周期的ＳＲＳに関するプリコーディング情報を決定することと、プリコーディング情報に基づいて、非周期的ＳＲＳをネットワークデバイスに伝送することと、を含む。
【０００９】
第４態様では、デバイスが提供される。このデバイスは、プロセッサと、プロセッサに接続されているメモリとを備える。メモリは、プロセッサによって実行されると、デバイスに動作を実行させる命令を格納する。上記動作は、ダウンリンク制御情報（ＤＣＩ）を端末デバイスに伝送することと、ＤＣＩが非周期的ＳＲＳに対する第１トリガを含み、且つ非周期的ＳＲＳが参照信号（ＲＳ）に関連付けられたことに応答して、ＲＳを端末デバイスに伝送することと、端末デバイスから非周期的ＳＲＳを受信し、非周期的ＳＲＳは端末デバイスによって少なくともＲＳに基づいて伝送されることと、を含む。
【００１０】
第５態様では、命令が格納されたコンピュータ読み取り可能な媒体が提供される。この命令は、少なくとも１つのプロセッサで実行されると、該少なくとも１つのプロセッサに本開示の第１態様に記載の方法を実行させる。
【００１１】
第６態様では、命令が格納されたコンピュータ読み取り可能な媒体が提供される。この命令は、少なくとも１つのプロセッサで実行されると、該少なくとも１つのプロセッサに本開示の第２態様に記載の方法を実行させる。
【００１２】
第７態様では、コンピュータ読み取り可能な記憶媒体に有形に格納されたコンピュータプログラム製品が提供される。このコンピュータプログラム製品は、少なくとも１つのプロセッサで実行されると、該少なくとも１つのプロセッサに本開示の第１態様又は第２態様に記載の方法を実行させる命令を含む。
【００１３】
本開示の他の特徴は、以下の記述により容易に理解可能になる。
【図面の簡単な説明】
【００１４】
添付図面における本開示のいくつかの実施形態のより詳細な説明を通して、本開示の上記及び他の目的、特徴及び利点はより明らかになる。
【００１５】
【図１】本開示の実施形態が実施されることができる通信環境のブロック図である。
【００１６】
【図２】本開示のいくつかの実施形態にかかるＳＲＳ伝送のためのプロセスを示す。
【００１７】
【図３Ａ】本開示のいくつかの実施形態の例を示す。
【図３Ｂ】本開示のいくつかの実施形態の例を示す。
【００１８】
【図４】本開示のいくつかの実施形態の例を示す。
【００１９】
【図５】本開示のいくつかの実施形態の例を示す。
【００２０】
【図６】本開示のいくつかの実施形態にかかるＳＲＳ伝送のための例示的な方法のフローチャートを示す。
【００２１】
【図７】本開示のいくつかの実施形態にかかるＳＲＳ伝送のための例示的な方法のフローチャートを示す。
【００２２】
【図８】本開示の実施形態の実施に適するデバイスの簡略的なブロック図である。
【００２３】
図面全体において、同一又は類似の参照番号は、同一又は類似の要素を表す。
【発明を実施するための形態】
【００２４】
本開示の原理をいくつかの例示的な実施形態を参照して説明する。これらの実施形態は、例示の目的のみで記載され、本開示の範囲に関するいかなる制限を示唆することなく、当業者が本開示を理解及び実施するのを助けることが理解される。本明細書で説明される開示は、以下に説明されるもの以外の様々な方法で実施されることができる。
【００２５】
以下の説明及び特許請求の範囲において、別途定義されない限り、本明細書で使用されるすべての技術用語及び科学用語は、本開示が属する技術分野の当業者に一般的に理解されるのと同じ意味を有する。
【００２６】
本明細書で使用されるとき、「ネットワークデバイス」又は「基地局」（ＢＳ：Ｂａｓｅ  Ｓｔａｔｉｏｎ）という用語は、端末デバイスが通信できるセル又はカバレッジを提供し、又はホストすることができるデバイスを指す。ネットワークデバイスの例として、Ｎｏｄｅ  Ｂ（ＮｏｄｅＢ又はＮＢ）、Ｅｖｏｌｖｅｄ  ＮｏｄｅＢ（ｅＮｏｄｅＢ又はｅＮＢ）、次世代のＮｏｄｅＢ（ｇＮＢ）、伝送受信ポイント（ＴＲＰ：Ｔｒａｎｓｍｉｓｓｉｏｎ  Ｒｅｃｅｐｔｉｏｎ  Ｐｏｉｎｔ）、リモート無線ユニット（ＲＲＵ：Ｒｅｍｏｔｅ  Ｒａｄｉｏ  Ｕｎｉｔ）、無線ヘッド（ＲＨ：Ｒａｄｉｏ  Ｈｅａｄ）、リモート無線ヘッド（ＲＲＨ：Ｒｅｍｏｔｅ  Ｒａｄｉｏ  Ｈｅａｄ）、及びフェムトノードやピコノードなどの低電力ノードが挙げられるが、これらに限定されない。検討の目的のために、以下、ネットワークデバイスの例としてｇＮＢを参照していくつかの実施形態を説明する。
【００２７】
本明細書で使用されるとき、「端末デバイス」という用語は、無線又は有線通信機能を有する任意のデバイスを指す。端末デバイスの例としては、ユーザ機器（ＵＥ：Ｕｓｅｒ  Ｅｑｕｉｐｍｅｎｔ）、パーソナルコンピュータ、デスクトップ、移動電話、セルラー電話、スマートフォン、携帯情報端末（ＰＤＡ：Ｐｅｒｓｏｎａｌ  Ｄｉｇｉｔａｌ  Ａｓｓｉｓｔａｎｔ）、ポータブルコンピュータ、デジタルカメラなどの画像キャプチャデバイス、ゲームデバイス、音楽記憶・再生機器、又は無線や有線インターネットアクセス及びブラウジングなどを可能にするインターネット機器などが挙げられるが、これらに限定されない。検討の目的のために、以下、端末デバイスの例としてＵＥを参照していくつかの実施形態を説明する。
【００２８】
本明細書で使用されるとき、単数形である「１つ（ａ）」、「１つ（ａｎ）」、及び「前記（ｔｈｅ）」は、文脈からそうでないことが明確に示さていない限り、複数形も含むことを意図している。「含む」という用語及びその変形は、「含むがこれに限定されない」ことを意味するオープンな用語として読まれる。「に基づいて」という用語は、「少なくとも部分的に基づいて」として読まれる。「一実施形態」及び「実施形態」という用語は、「少なくとも１つの実施形態」として読まれる。「別の実施形態」という用語は、「少なくとも１つの他の実施形態」として読まれる。「第１」、「第２」などの用語は、異なるオブジェクト又は同じオブジェクトを指すことができる。明示的及び暗黙的なその他の定義は、以下に含まれる。
【００２９】
いくつかの例では、値、手順、又は装置は、「最もよい」、「最も低い」、「最も高い」、「最小」、「最大」などとして言及される。そのような記述は、多くの使用される機能的選択肢から選択可能であり、このような選択は、他の選択に比べてより良く、小さい、高い、又はより好ましい必要がないことを示すと意図していることを理解されたい。
【００３０】
上述したように、ＮＲでは、ダウンリンク制御情報（ＤＣＩ）を介して非周期的ＳＲＳ（ＡＰ−ＳＲＳ）のためのアップリンク（ＵＬ）候補プリコーダを決定するために、端末デバイスに対してダウンリンク（ＤＬ）測定ＲＳ（例えば、チャネル状態情報参照信号（ＣＳＩ−ＲＳ））を示すことがサポートされている。また、上位層シグナリングを介して周期的ＳＲＳ（Ｐ−ＳＲＳ）又は半永続的ＳＲＳ（ＳＰ−ＳＲＳ）のためのＵＬ候補プリコーダを決定するために、端末デバイスに対してＤＬ測定ＲＳ（例えば、ＣＳＩ−ＲＳ）を示すこともサポートされている。ＡＰ−ＳＲＳは、非周期的ＣＳＩ−ＲＳ（ＡＰ−ＣＳＩ−ＲＳ）と関連付けられることができる。ＡＰ−ＣＳＩ−ＲＳは、ＡＰ−ＳＲＳのトリガを含むＤＣＩと同じスロットで伝送されることができる。ＳＲＳ（例えば、ＡＰ−ＳＲＳ、Ｐ−ＳＲＳ又はＳＰ−ＳＲＳ）は、周期的ＣＳＩ−ＲＳ（Ｐ−ＣＳＩ−ＲＳ）又は半永続的ＣＳＩ−ＲＳ（ＳＰ−ＣＳＩ−ＲＳ）と関連付けられることができる。
【００３１】
ＡＰ−ＣＳＩ−ＲＳがＡＰ−ＳＲＳに関連付けられ、且つＡＰ−ＳＲＳに対するトリガがＤＣＩにおけるＳＲＳ要求フィールドに含まれている場合、ＡＰ−ＣＳＩ−ＲＳはＤＣＩと同じスロットで伝送されることができる。ただし、ＳＲＳ要求フィールドはトリガされるＡＰ−ＳＲＳがないことを示す場合、ＣＳＩ−ＲＳ伝送をどのように進めるかは指定されていない。さらに、Ｐ−ＣＳＩ−ＲＳ又はＳＰ−ＣＳＩ−ＲＳがＡＰ−ＳＲＳに関連付けられた場合、ＡＰ−ＳＲＳ伝送及びＰ−ＣＳＩ−ＲＳ又はＳＰ−ＣＳＩ−ＲＳ伝送をどのように進めるかは指定されていない。
【００３２】
本開示の実施形態は、上記の課題及び他の潜在的な課題のうちの１つ又は複数を解決するために、ＳＲＳ伝送のためのソリューションを提供する。このソリューションでは、ＳＲＳ要求フィールドがＤＣＩに含まれていない場合、又はＤＣＩにおけるＳＲＳ要求フィールドはトリガされるＡＰ−ＳＲＳがないことを示す場合、通信オーバヘッドを低減するために、ＡＰ−ＳＲＳに関連付けられたＡＰ−ＣＳＩ−ＲＳは伝送されない。また、このソリューションでは、ＡＰ−ＳＲＳに関連付けられたＰ−ＣＳＩ−ＲＳ又はＳＰ−ＣＳＩ−ＲＳを制限なくサポートすることができる。
【００３３】
以下、図１〜８を参照して、本開示の原理及び実施形態を詳細に説明する。
【００３４】
図１は、本開示の実施形態が実施されることができる例示的な通信ネットワーク１００を示す。ネットワーク１００は、ネットワークデバイス１１０と、ネットワークデバイス１１０によってサービスが提供される端末デバイス１２０とを含む。ネットワーク１００は、端末デバイス１２０にサービスを提供するために少なくとも１つのサービングセル１０２を提供することができる。ネットワークデバイス、端末デバイス及び／又はサービングセルの数は、制限を示唆することなく、例示の目的のみであると理解される。ネットワーク１００は、本開示の実施形態を実施するのに適する任意の適切な数のネットワークデバイス、端末デバイス及び／又はサービングセルを含んでもよい。
【００３５】
通信ネットワーク１００において、ネットワークデバイス１１０は、データ及び制御情報を端末デバイス１２０に通信することができ、端末デバイス１２０も、データ及び制御情報をネットワークデバイス１１０に通信することができる。ネットワークデバイス１１０から端末デバイス１２０へのリンクはダウンリンク（ＤＬ）と呼ばれ、端末デバイス１２０からネットワークデバイス１１０へのリンクはアップリンク（ＵＬ）と呼ばれる。
【００３６】
ネットワーク１００における通信は、任意の適切な規格に準拠してもよく、ここでの規格は、モバイル通信用グローバルシステム（ＧＳＭ：Ｇｌｏｂａｌ  Ｓｙｓｔｅｍ  ｆｏｒ  Ｍｏｂｉｌｅ  Ｃｏｍｍｕｎｉｃａｔｉｏｎｓ）、ロングタームエボリューション（ＬＴＥ：Ｌｏｎｇ  Ｔｅｒｍ  Ｅｖｏｌｕｔｉｏｎ）、ＬＴＥ−エボリューション、ＬＴＥアドバンスト（ＬＴＥ−Ａ：ＬＴＥ−Ａｄｖａｎｃｅｄ）、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）、符号分割多元接続（ＣＤＭＡ：Ｃｏｄｅ  Ｄｉｖｉｓｉｏｎ  Ｍｕｌｔｉｐｌｅ  Ａｃｃｅｓｓ）、ＧＳＭ  ＥＤＧＥ無線アクセスネットワーク（ＧＥＲＡＮ：ＧＳＭ  ＥＤＧＥ  Ｒａｄｉｏ  Ａｃｃｅｓｓ  Ｎｅｔｗｏｒｋ）などを含むが、これらに限定されない。さらに、通信は、現在知られている、又は将来に開発される任意の世代の通信プロトコルに従って実施されてもよい。通信プロトコルの例として、第１世代（１Ｇ）、第２世代（２Ｇ）、２．５Ｇ、２．７５Ｇ、第３世代（３Ｇ）、第４世代（４Ｇ）、４．５Ｇ、第５世代（５Ｇ）の通信プロトコルが挙げられるが、これらに限定されない。
【００３７】
ネットワークデバイス１１０は、通常のデータ通信に加えて、ダウンリンクで端末デバイス１２０にＲＳを伝送してもよい。同様に、端末デバイス１２０は、アップリンクでネットワークデバイス１１０にＲＳを伝送してもよい。一般的に、ＲＳは、ネットワークデバイス１１０及び端末デバイス１２０の両方で既知の信号シーケンス（「ＲＳシーケンス」とも呼ばれる）である。例えば、ＲＳシーケンスは、ネットワークデバイス１１０によってあるルールに基づいて生成されて伝送されることができ、端末デバイス１２０は、同じルールに基づいてＲＳシーケンスを推定することができる。ＲＳの例として、ダウンリンク又はアップリンク復調参照信号（ＤＭＲＳ：Ｄｅｍｏｄｕｌａｔｉｏｎ  Ｒｅｆｅｒｅｎｃｅ  Ｓｉｇｎａｌ）、ＣＳＩ−ＲＳ、サウンディング参照信号（ＳＲＳ）、位相トラッキング参照信号（ＰＴＲＳ：Ｐｈａｓｅ  Ｔｒａｃｋｉｎｇ  Ｒｅｆｅｒｅｎｃｅ  Ｓｉｇｎａｌ）、トラッキング参照信号（ＴＲＳ：Ｔｒａｃｋｉｎｇ  Ｒｅｆｅｒｅｎｃｅ  Ｓｉｇｎａｌ）、ファインタイム周波数トラッキング参照信号（ＴＲＳ）、トラッキング用ＣＳＩ−ＲＳなどが挙げられるが、これらに限定されない。
【００３８】
ダウンリンクＲＳ及びアップリンクＲＳの伝送において、ネットワークデバイス１１０は、伝送のために対応するリソース（「ＲＳリソース」とも呼ばれる）を割り当て、及び／又はどのＲＳシーケンスを伝送するかを指定することができる。いくつかのシナリオでは、ネットワークデバイス１１０及び端末デバイス１２０の両方は、複数のアンテナポート（又はアンテナエレメント）を備え、指定されたＲＳシーケンスをアンテナポート（アンテナエレメント）で伝送することができる。複数のＲＳポートに関連付けられたＲＳリソースのセットも指定される。ＲＳポートは、時間、周波数、及び／又はコード領域における、ＲＳシーケンスの一部又は全部からＲＳ伝送のために割り当てられたリソース領域の１つ又は複数のリソースエレメントへの特定のマッピングと呼ばれてもよい。
【００３９】
例えば、ＳＲＳは、アップリンクチャネル推定の結果に基づいて端末デバイスからのＵＬ伝送（物理アップリンク共有チャネル（ＰＵＳＣＨ：Ｐｈｙｓｉｃａｌ  Ｕｐｌｉｎｋ  Ｓｈａｒｅｄ  Ｃｈａｎｎｅｌ）伝送）のためにリソース割り当てを実行し且つ伝送パラメータを設定するように、ネットワークデバイスによってアップリンクチャネル推定を実行するために使用されることができる。ＳＲＳは、時間領域における動作に応じて、例えばＰ−ＳＲＳ、ＡＰ−ＳＲＳ、ＳＰ−ＳＲＳなどの異なるタイプに分けられることができる。本明細書で使用されるとき、「Ｐ−ＳＲＳ」は、時間領域で周期的に伝送されるＳＲＳを指す。「ＳＰ−ＳＲＳ」は、ＳＰ−ＳＲＳの伝送が信号によって活性化されるとともに、別の信号によって非活性化されることができる以外、Ｐ−ＳＲＳと類似している。「ＡＰ−ＳＲＳ」は、その伝送がネットワークデバイスによってトリガシグナリングを介してトリガされることができるＳＲＳを指す。
【００４０】
ＵＬ伝送について、コードブックベースの伝送及び非コードブックベースの伝送という２つの伝送スキームがサポートされることができる。端末デバイス１２０は、上位層パラメータを介して２つのスキームのいずれかで配置されることができる。コードブックベースの伝送の場合、端末デバイス１２０は、そのＵＬ伝送のためのプリコーダを、ネットワークデバイス１１０から受信したＤＣＩに基づいて決定することができる。例えば、ＤＣＩにおけるいくつかのフィールドは、プリコードされたＳＲＳの伝送に使用される好ましいプリコーダを端末デバイスに示してもよい。非コードベースのＵＬ伝送の場合、端末デバイス１２０は、プリコードされたＳＲＳの伝送に使用されるプリコーダを決定するために、ＳＲＳに関連付けられたいくつかの参照信号を測定してもよい。限定を示唆することなく検討の目的で、以下の説明では、非コードブックベースのＵＬ伝送を参照していくつかの実施形態を説明する。
【００４１】
非コードブックベースのＵＬ伝送について、端末デバイス１２０は、ＳＲＳ伝送に先立ってＳＲＳ配置で配置されてもよい。ＳＲＳ配置は、ＳＲＳ伝送のための１つ又は複数のＳＲＳリソースを示してもよい。各ＳＲＳリソースに対して１つのＳＲＳポートしか配置されることができない。非コードブックベースのＵＬ伝送のために、１つのＳＲＳリソースセットしか配置されることができない。非コードブックベースのＵＬ伝送のために配置されたＳＲＳリソースセットに含まれるＳＲＳリソースの最大数は４である。端末デバイス１２０は、ＳＲＳの伝送に使用されるプリコーディング情報を決定するために、ＳＲＳに関連付けられたＲＳを測定することができる。ＳＲＳに関連付けられたＲＳは、ＣＳＩ−ＲＳ、別のＳＲＳ、又は同期信号ブロック（ＳＳＢ：Ｓｙｎｃｈｒｏｎｉｚａｔｉｏｎ  Ｓｉｇｎａｌ  Ｂｌｏｃｋ）／物理的ブロードキャストチャネル（ＰＢＣＨ：Ｐｈｙｓｉｃａｌ  Ｂｒｏａｄｃａｓｔ  Ｃｈａｎｎｅｌ）であることができる。制限を示唆することなく検討の目的で、以下の説明では、ＳＲＳに関連付けられたＣＳＩ−ＲＳを参照していくつかの実施形態を説明する。例えば、ＳＲＳに関連付けられたＣＳＩ−ＲＳは、時間領域における動作に応じて、例えばＰ−ＣＳＩ−ＲＳ、ＡＰ−ＣＳＩ−ＲＳ、ＳＰ−ＣＳＩ−ＲＳなどの異なるタイプに分けられることができる。本明細書で使用されるとき、「Ｐ−ＣＳＩ−ＲＳ」は、時間領域で周期的に伝送されるＣＳＩ−ＲＳを指す。「ＳＰ−ＣＳＩ−ＲＳ」は、ＳＰ−ＣＳＩ−ＲＳの伝送が信号によって活性化されるとともに、別の信号によって非活性化されることができる以外、Ｐ−ＣＳＩ−ＲＳと類似している。「ＡＰ−ＣＳＩ−ＲＳ」は、その伝送がネットワークデバイスによってトリガ信号を介してトリガされることができるＣＳＩ−ＲＳを指す。ＡＰ−ＳＲＳは、ＡＰ−ＣＳＩ−ＲＳのいずれかと関連付けられることができる。
【００４２】
図２は、本開示のいくつかの実施形態にかかるＳＲＳ伝送のためのプロセス２００を示す。検討の目的のために、プロセス２００は、図１を参照して説明される。プロセス２００は、図１に示すようなネットワークデバイス１１０及び端末デバイス１２０に関してもよい。プロセス２００は、図示されていない追加の動作を含んでもよく、及び／又は図示されているいくつかの動作を省略してもよく、本開示の範囲は、この点で限定されないと理解される。
【００４３】
いくつかの実施形態では、ネットワークデバイス１１０は、ＤＣＩを端末デバイス１２０に伝送する（２１０）。いくつかの実施形態では、トリガされたＳＲＳリソースセットを示すために、ＤＣＩに２ビットのＳＲＳ要求フィールドが存在してもよい。例えば、表１は、ＡＰ−ＳＲＳ用のＳＲＳ要求フィールドの値を示す。
表１：ＡＰ−ＳＲＳ用のＳＲＳ要求値
2021530123.tif 000003
【００４４】
いくつかの実施形態では、トリガされたＳＲＳリソースセットを示すために、ＤＣＩに３ビットのＳＲＳ要求フィールドが存在してもよい。例えば、第１ビットは、補助的アップリンク（ＳＵＬ：ｓｕｐｐｌｅｍｅｎｔ  ｕｐｌｉｎｋ）に関連する（例えば、非ＳＵＬ又はＳＵＬを示す）インジケータであってもよく、第２ビット及び第３ビットは、表１に示される値を示すために使用される。
【００４５】
いくつかの実施形態では、ＤＣＩにＬビットのＳＲＳ要求フィールドが存在してもよく、ここでＬは正の整数である。例えば、Ｌは２、３又は４のいずれかであってもよい。いくつかの実施形態では、ＳＲＳ要求フィールドについてＭ個の状態又は値があってもよく、ここでＭは正の整数である。例えば、Ｍは２、３、４、８又は１６のいずれかであることができる。いくつかの実施形態では、ＳＲＳ要求フィールド用のＭ個の状態又は値のうち、Ｎ個の状態又は値は、ＳＲＳ伝送用の１つ又は複数のＳＲＳリソースセットを示してもよく、ここで、Ｎは正の整数であり、１≦Ｎ≦Ｍである。即ち、（Ｍ−Ｎ）個の状態又は値は「ＳＲＳトリガなし」、「非周期的ＳＲＳトリガなし」、又は「半永続的ＳＲＳ活性化なし」を示してもよい。例えば、いくつかの状況では、Ｎ＝Ｍ−１である。即ち、１つの状態又は値は「ＳＲＳトリガなし」、「非周期的ＳＲＳトリガなし」、又は「半永続的ＳＲＳ活性化なし」を示してもよい。
【００４６】
いくつかの実施形態では、ＤＣＩにおけるＳＲＳ要求フィールドの状態又は値が「ＳＲＳトリガなし」、「非周期的ＳＲＳトリガなし」又は「半永続的ＳＲＳ活性化なし」を示す場合、ネットワークデバイス１１０は、ＡＰ−ＳＲＳに関連付けられたＲＳを伝送しなくてもよく、又は伝送することが要求されなくてもよく、又は伝送することが予期されなくてもよい。いくつかの実施形態では、ＤＣＩにおけるＳＲＳ要求フィールドの状態又は値が「ＳＲＳトリガなし」、「非周期的ＳＲＳトリガなし」又は「半永続的ＳＲＳ活性化なし」を示す場合、ネットワークデバイス１１０は、ＳＲＳ要求フィールドを含むＤＣＩが伝送されるスロットと同じスロットでＡＰ−ＳＲＳに関連付けられたＲＳを伝送しなくてもよく、又は伝送することが要求されなくてもよく、又は伝送することが予期されなくてもよい。いくつかの実施形態では、ＲＳは、ＡＰ−ＣＳＩ−ＲＳ、ＳＰ−ＣＳＩ−ＲＳ、又はＰ−ＣＳＩ−ＲＳであってもよい。
【００４７】
いくつかの実施形態では、ＳＲＳ要求フィールドの状態又は値が「ＳＲＳトリガなし」、「非周期的ＳＲＳトリガなし」又は「半永続的ＳＲＳ活性化なし」を示す場合、端末デバイスは、ＡＰ−ＳＲＳに関連付けられたＲＳを受信しなくてもよく、又は受信することが要求されなくてもよく、又は受信することが予期されなくてもよい。いくつかの実施形態では、ＳＲＳ要求フィールドの状態又は値が「ＳＲＳトリガなし」、「非周期的ＳＲＳトリガなし」又は「半永続的ＳＲＳ活性化なし」を示す場合、端末デバイスは、ＳＲＳ要求フィールドを有するＤＣＩが受信されるスロットと同じスロットでＡＰ−ＳＲＳに関連付けられたＲＳを受信しなくてもよく、又は受信することが要求されなくてもよく、又は受信することが予期されなくてもよい。いくつかの実施形態では、ＲＳは、ＡＰ−ＣＳＩ−ＲＳ、ＳＰ−ＣＳＩ−ＲＳ、又はＰ−ＣＳＩ−ＲＳであってもよい。
【００４８】
いくつかの実施形態では、ＳＲＳ伝送に関連付けられたものと同一の又は異なるＲＳが、何らかの他のシグナリングを介して、ＳＲＳ要求フィールドを含むＤＣＩが伝送されるスロットと同じスロットで伝送されるように配置又はトリガされている場合、このＲＳは、前記同じスロットで伝送されてもよい。例えば、このＲＳは、他の目的のために使用されてもよい。
【００４９】
いくつかの実施形態では、ＤＣＩにＳＲＳ要求フィールドが存在しない場合、又はＤＣＩにおけるＳＲＳ要求フィールドの値は非周期的ＳＲＳトリガがないことを示す（例えば、値が「００」である）場合、ネットワークデバイス１１０は、ＡＰ−ＳＲＳに関連付けられたＲＳを伝送しない。例えば、ＡＰ−ＳＲＳに関連付けられたＲＳはＡＰ−ＣＳＩ−ＲＳであり、且つＤＣＩは時間領域の第１スロットで伝送されると仮定する。ＤＣＩにＳＲＳ要求フィールドが存在しない、又はＤＣＩにおけるＳＲＳ要求フィールドの値は非周期的ＳＲＳトリガがないことを示す（例えば、値が「００」である）場合、ネットワークデバイス１１０は、第１スロットでＡＰ−ＣＳＩ−ＲＳを伝送しなく、又は伝送することが要求されなくてもよく、又は伝送することが予期されなくてもよい。
【００５０】
いくつかの実施形態では、ＳＲＳ要求フィールドを含むことができるいくつかのＤＣＩフォーマットがあってもよい。例えば、ＳＲＳ要求フィールドを含むことができるＤＣＩフォーマットは、ＤＣＩフォーマット０＿１、ＤＣＩフォーマット１＿１、ＤＣＩフォーマット２＿３などのいずれかであってもよい。いくつかの実施形態では、関連するＡＰ−ＣＳＩ−ＲＳがＤＣＩと同じスロットで伝送されるか否かは、ＤＣＩのフォーマットに依存する。いくつかの実施形態では、ＤＣＩフォーマット０＿１又はＰＵＳＣＨスケジューリング用のＤＣＩ、及び／又は、ＤＣＩフォーマット１＿１又はＰＤＳＣＨスケジューリング用のＤＣＩの場合、関連するＡＰ−ＣＳＩ−ＲＳは、ＳＲＳ要求フィールドを含むＤＣＩと同じスロットで伝送されることが要求されてもよく、又は伝送されることが予期されてもよく、又は伝送される。いくつかの実施形態では、ＤＣＩフォーマット２＿３あるいはＰＵＳＣＨ又はＰＤＳＣＨスケジューリング用ではないＤＣＩの場合、関連するＡＰ−ＣＳＩ−ＲＳは、ＳＲＳ要求フィールドを含むＤＣＩと同じスロットで伝送されることが要求されなくてもよく、又は伝送されることが予期されなくてもよく、又は伝送されない。
【００５１】
いくつかの実施形態では、ＳＲＳ要求フィールドがＤＣＩに存在し、且つＳＲＳ要求フィールドの値が１つ又は複数のＳＲＳリソースセットを示す（例えば、値が「００」ではない）場合、ネットワークデバイス１１０は、ＳＲＳに関連付けられたＲＳを端末デバイス１２０に伝送する（２２０）。例えば、ＡＰ−ＳＲＳに関連付けられたＲＳがＣＳＩ−ＲＳであり、且つＤＣＩが時間領域の第１スロットで伝送されると仮定する。いくつかの実施形態では、ＳＲＳ要求フィールドがＤＣＩに存在し、ＳＲＳ要求フィールドの値が１つ又は複数のＳＲＳリソースセットを示し（例えば、値が「００」ではない）、且つＳＲＳに関連付けられたＣＳＩ−ＲＳがＡＰ−ＣＳＩ−ＲＳである場合、ネットワークデバイス１１０は、ＤＣＩと同じスロット、即ち第１スロットでＡＰ−ＣＳＩ−ＲＳを伝送してもよい。図３Ａは、そのような実施形態の一例を示す。図３Ａでは、ＳＲＳに対するトリガ（即ち、値が「００」でないＳＲＳ要求フィールドを含むＤＣＩ）と、ＳＲＳに関連付けられたＡＰ−ＣＳＩ−ＲＳとが同じスロットで伝送される。いくつかの他の実施形態では、ＳＲＳ要求フィールドがＤＣＩに存在し、且つＳＲＳに関連付けられたＣＳＩ−ＲＳがＰ−ＣＳＩ−ＲＳ又はＳＰ−ＣＳＩ−ＲＳである場合、ＳＲＳに対するトリガと同じスロット（即ち、第１スロット）でＡＰ−ＣＳＩ−ＲＳを伝送する必要はない。いくつかの他の実施形態では、ＳＲＳ要求フィールドが第１スロット内のＤＣＩに存在し、且つＳＲＳに関連付けられたＣＳＩ−ＲＳがＰ−ＣＳＩ−ＲＳ又はＳＰ−ＣＳＩ−ＲＳである場合、Ｐ−ＣＳＩ−ＲＳ又はＳＰ−ＣＳＩ−ＲＳの伝送を第１スロット内に制限する必要はない。即ち、ＳＲＳに関連付けられたＰ−ＣＳＩ−ＲＳ又はＳＰ−ＣＳＩ−ＲＳは、第１スロットと異なる第２スロットで伝送されることができる。例えば、ＳＲＳに関連付けられたＰ−ＣＳＩ−ＲＳ又はＳＰ−ＣＳＩ−ＲＳは、周期性又はいくつかの他のパラメータで配置されてもよい。いくつかの実施形態では、Ｐ−ＣＳＩ−ＲＳ又はＳＰ−ＣＳＩ−ＲＳに対する周期性又はパラメータは、第１スロットがＰ−ＣＳＩ−ＲＳ又はＳＰ−ＣＳＩ−ＲＳを伝送するために使用されることを示す場合、Ｐ−ＣＳＩ−ＲＳ又はＳＰ−ＣＳＩ−ＲＳは、ＳＲＳ要求フィールドを含むＤＣＩと同じスロットで伝送される。代替的又は追加的に、ＳＲＳ要求フィールドがＤＣＩに存在し、且つＳＲＳに関連付けられたＣＳＩ−ＲＳがＰ−ＣＳＩ−ＲＳ又はＳＰ−ＣＳＩ−ＲＳである場合、トリガの伝送を、Ｐ−ＣＳＩ−ＲＳ又はＳＰ−ＣＳＩ−ＲＳが伝送されるスロット内に制限する必要はない。即ち、ＳＲＳに関連付けられたＰ−ＣＳＩ−ＲＳ又はＳＰ−ＣＳＩ−ＲＳは、第１スロットと異なる第２スロットで伝送されることができる。図３Ｂは、そのような実施形態の一例を示す。図３Ｂでは、ＳＲＳに対するトリガ（即ち、値が「００」でないＳＲＳ要求フィールドを含むＤＣＩ）と、ＳＲＳに関連付けられたＰ−ＣＳＩ−ＲＳ又はＳＰ−ＣＳＩ−ＲＳは、異なるスロットで伝送される。
【００５２】
いくつかの実施形態では、ネットワークデバイス１１０からＡＰ−ＳＲＳに関連付けられたＲＳを受信したことに応答して、端末デバイス１２０は、受信したＲＳに基づいて、ＡＰ−ＳＲＳに関連するプリコーディング情報を決定する（２３０）。そして、端末デバイス１２０は、プリコーディング情報に基づいて、ＡＰ−ＳＲＳをネットワークデバイス１１０に伝送する（２４０）。
【００５３】
いくつかの実施形態では、ＡＰ−ＳＲＳに関連付けられたＲＳがＡＰ−ＣＳＩ−ＲＳである場合、ＡＰ−ＣＳＩ−ＲＳの受信の最後のシンボルからＡＰ−ＳＲＳの伝送の最初のシンボルまでの時間間隔は、所定の直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル数以上であるべきである。例えば、所定の数は４２である。
【００５４】
いくつかの実施形態では、ＡＰ−ＳＲＳに関連付けられたＲＳがＰ−ＣＳＩ−ＲＳ又はＳＰ−ＣＳＩ−ＲＳである場合、ＡＰ−ＳＲＳの伝送の最初又は最後のシンボルよりも前の又はそれよりも遅くない直近のＰ−ＣＳＩ−ＲＳ又はＳＰ−ＣＳＩ−ＲＳの受信の最後のシンボルから、ＡＰ−ＳＲＳ伝送の最初のシンボルまでの時間間隔がＴとして表されると仮定する。代替的に、いくつかの実施形態では、ＡＰ−ＳＲＳに関連付けられたＲＳがＰ−ＣＳＩ−ＲＳ又はＳＰ−ＣＳＩ−ＲＳである場合、ＳＲＳ要求フィールドを有するＤＣＩの受信の最初又は最後のシンボルよりも前の又はそれよりも遅くない直近のＰ−ＣＳＩ−ＲＳ又はＳＰ−ＣＳＩ−ＲＳの受信の最後のシンボルから、ＡＰ−ＳＲＳ伝送の最初のシンボルまでの時間間隔もＴとして表されると仮定する。代替的に、いくつかの実施形態では、ＡＰ−ＳＲＳに関連付けられたＲＳがＰ−ＣＳＩ−ＲＳ又はＳＰ−ＣＳＩ−ＲＳである場合、ＳＲＳ要求フィールドを有するＤＣＩの受信の最初又は最後のシンボルの直後の又はそれよりも早くない直近のＰ−ＣＳＩ−ＲＳ又はＳＰ−ＣＳＩ−ＲＳの受信の最後のシンボルから、ＡＰ−ＳＲＳ伝送の最初のシンボルまでの時間間隔もＴとして表されると仮定する。代替的に、いくつかの実施形態では、ＡＰ−ＳＲＳに関連付けられたＲＳがＰ−ＣＳＩ−ＲＳ又はＳＰ−ＣＳＩ−ＲＳである場合、ＳＲＳ要求フィールドを有するＤＣＩの受信の最初又は最後のシンボルから、ＡＰ−ＳＲＳ伝送の最初のシンボルまでの時間間隔もＴとして表されると仮定する。
【００５５】
いくつかの実施形態では、時間間隔Ｔが所定の閾値ＴＨ以下である場合、端末デバイス１２０は、トリガされたＡＰ−ＳＲＳを伝送することが予期されなくてもよく、又は伝送することが要求されなくてもよく、又は伝送しなくてもよい。いくつかの実施形態では、時間間隔Ｔが所定の閾値ＴＨ以下である場合、ネットワークデバイス１１０は、トリガされたＡＰ−ＳＲＳを受信することが予期されなくてもよく、又は受信することが要求されなくてもよく、又は受信しない。いくつかの実施形態では、時間間隔Ｔが所定の閾値ＴＨ以上である場合、端末デバイス１２０は、トリガされたＡＰ−ＳＲＳを伝送することが要求されてもよく、又は伝送することが予期されてもよく、又は伝送する。いくつかの実施形態では、時間間隔Ｔが所定の閾値ＴＨ以上である場合、ネットワークデバイス１１０は、トリガされたＡＰ−ＳＲＳＳを受信することが予期されてもよく、又は受信することが要求されてもよく、又は受信する。
【００５６】
いくつかの実施形態では、時間間隔Ｔは、一定のスロット数、シンボル数、又はマイクロ秒を表してもよい。いくつかの実施形態では、閾値ＴＨは、所定のスロット数、シンボル数、又はマイクロ秒であってもよい。例えば、いくつかの実施形態では、閾値ＴＨは、３スロット又は４２シンボルであってもよい。
【００５７】
いくつかの実施形態では、閾値ＴＨは、時間領域における関連するＣＳＩ−ＲＳの動作に依存してもよい。いくつかの実施形態では、Ｐ−ＣＳＩ−ＲＳ用の閾値ＴＨの値、及び／又はＳＰ−ＣＳＩ−ＲＳ用の閾値ＴＨの値は、ＡＰ−ＣＳＩ−ＲＳ用の閾値ＴＨの値と異なってもよい。いくつかの実施形態では、Ｐ−ＣＳＩ−ＲＳ又はＳＰ−ＣＳＩ−ＲＳ用の閾値ＴＨの値は、４２シンボル未満であってもよい。
【００５８】
いくつかの実施形態では、閾値ＴＨは、時間領域におけるＳＲＳの動作に依存してもよい。いくつかの実施形態では、Ｐ−ＳＲＳ用の閾値ＴＨの値、及び／又はＳＰ−ＳＲＳ用の閾値ＴＨの値は、ＡＰ−ＳＲＳ用の閾値ＴＨの値とは異なってもよい。いくつかの実施形態では、Ｐ−ＳＲＳ又はＳＰ−ＳＲＳ用の閾値ＴＨの値は、４２シンボル未満であってもよい。
【００５９】
いくつかの実施形態では、ＡＰ−ＳＲＳ伝送の最初のシンボルよりも前の任意のＰ−ＣＳＩ−ＲＳ又はＳＰ−ＣＳＩ−ＲＳ伝送と、ＡＰ−ＳＲＳ伝送の最初のシンボルとの間の時間間隔は閾値ＴＨ以上である場合、端末デバイス１２０は、ＡＰ−ＳＲＳを伝送することが予期されてもよく、又は伝送することが要求されてもよく、又は伝送する。いくつかの実施形態では、ＡＰ−ＳＲＳトリガを有するＤＣＩの受信の最初又は最後のシンボルよりも前の又はそれよりも遅くない任意のＰ−ＣＳＩ−ＲＳ又はＳＰ−ＣＳＩ−ＲＳと、ＡＰ−ＳＲＳ伝送の最初のシンボルとの間の時間間隔は閾値ＴＨ以上である場合、端末デバイス１２０は、ＡＰ−ＳＲＳを伝送することが予期されてもよく、又は伝送することが要求されてもよく、又は伝送する。
【００６０】
いくつかの実施形態では、ＡＰ−ＳＲＳに関連付けられたＲＳがＰ−ＣＳＩ−ＲＳ又はＳＰ−ＣＳＩ−ＲＳである場合、ＡＰ−ＳＲＳ伝送よりも前の直近のＰ−ＣＳＩ−ＲＳ又はＳＰ−ＣＳＩ−ＲＳの受信の最後のシンボルと、ＡＰ−ＳＲＳ伝送の最初のシンボルとの間の時間間隔は、所定のＯＦＤＭシンボル数（例えば、４２ＯＦＤＭシンボル）未満であることができる。例えば、いくつかの状況では、Ｐ−ＣＳＩ−ＲＳ又はＳＰ−ＣＳＩ−ＲＳは、ＡＰ−ＳＲＳに対するトリガの後に伝送されてもよい。いくつかの実施形態では、この場合、ＡＰ−ＳＲＳ伝送よりも前の直近のＰ−ＣＳＩ−ＲＳ又はＳＰ−ＣＳＩ−ＲＳ伝送の最後のシンボルと、ＡＰ−ＳＲＳ伝送の最初のシンボルとの間の時間間隔は、４２ＯＦＤＭシンボル未満であることができる。ＡＰ−ＳＲＳに対するトリガよりも遅くない直近のＰ−ＣＳＩ−ＲＳ又はＳＰ−ＣＳＩ−ＲＳ伝送の最後のシンボルと、ＡＰ−ＳＲＳ伝送の最初のシンボルとの間の時間間隔は、所定のＯＦＤＭシンボル数（即ち、４２ＯＦＤＭシンボル）以上である場合、ＡＰ−ＳＲＳは伝送されることができる。
【００６１】
いくつかの実施形態では、ＡＰ−ＳＲＳに対するトリガの伝送とＡＰ−ＳＲＳの伝送との間に、ＡＰ−ＳＲＳに関連付けられたＰ−ＣＳＩ−ＲＳ又はＳＰ−ＣＳＩ−ＲＳの伝送は存在しなくてもよいが、ＡＰ−ＳＲＳに対するトリガの伝送の前に又はそれよりも遅くない間に、ＡＰ−ＳＲＳに関連付けられたＰ−ＣＳＩ−ＲＳ又はＳＰ−ＣＳＩ−ＲＳの、少なくとも１つの伝送が存在してもよい。いくつかの実施形態では、この場合、ＡＰ−ＳＲＳに対するトリガの伝送の最後のシンボルとＡＰ−ＳＲＳ伝送の最初のシンボルとの間の時間間隔は、所定のＯＦＤＭシンボル数（即ち、４２ＯＦＤＭシンボル）以上であるべきである。
【００６２】
いくつかの実施形態では、ＡＰ−ＳＲＳに対するトリガの伝送の後に、ＡＰ−ＳＲＳに関連付けられたＰ−ＣＳＩ−ＲＳ又はＳＰ−ＣＳＩ−ＲＳの、少なくとも１つの伝送が存在してもよい。いくつかの実施形態では、この場合、ＡＰ−ＳＲＳに対するトリガの伝送の後の、ＡＰ−ＳＲＳに関連付けられたＰ−ＣＳＩ−ＲＳ又はＳＰ−ＣＳＩ−ＲＳの最初の伝送と、ＡＰ−ＳＲＳの伝送との間の時間間隔は、所定のＯＦＤＭシンボル数（即ち、４２ＯＦＤＭシンボル）以上であるべきである。
【００６３】
図４は、そのような実施形態の一例を示す。図４において、ＡＰ−ＳＲＳに対するトリガは、スロットＮ＋Ｋで伝送され、ここで、Ｎは非負の整数であり、Ｋは自然数である。ＡＰ−ＳＲＳに関連付けられたＰ−ＣＳＩ−ＲＳ又はＳＰ−ＣＳＩ−ＲＳは、時間領域において、例えばＰスロットの周期性をもって周期的に伝送される。例えば、Ｐも自然数であり、且つＰ＞Ｋである。即ち、Ｐ−ＣＳＩ−ＲＳ又はＳＰ−ＣＳＩ−ＲＳは、スロットＮ、Ｎ＋Ｐ、Ｎ＋２Ｐ、．．．などで伝送される。図４に示すように、ＡＰ−ＳＲＳに対するトリガの後の、Ｐ−ＣＳＩ−ＲＳ又はＳＰ−ＣＳＩ−ＲＳの最初の伝送（即ち、スロットＮ＋Ｐの最後のシンボル）と、ＡＰ−ＳＰＳ伝送（即ち、スロットＮ＋Ｍの最初のシンボル）との間の時間間隔は所定のＯＦＤＭシンボル数以上である場合、ＡＰ−ＳＲＳはスロットＮ＋Ｍ（ここでＭ＞２Ｐ、Ｍ≦３Ｐ）で伝送されることができる。
【００６４】
現在の３ＧＰＰ仕様では、ＳＲＳ伝送に関連する２つの上位層配置がある。該２つの上位層配置の一方は、ＳＲＳとＣＳＩ−ＲＳとの間の関連付けを示し、ＡＰ−ＳＲＳのために配置された１つ又は複数のＣＳＩ−ＲＳリソース、又は１つ又は複数のＣＳＩ−ＲＳリソースセットとして、或いは、Ｐ−ＳＲＳ又はＳＰ−ＳＲＳのために配置されたパラメータ「ＳＲＳ−ＡｓｓｏｃＣＳＩＲＳ」として表されてもよく、そして、本明細書で使用されるように「第１配置」とも呼ばれることができる。該２つの上位層配置の他方は、ＳＲＳとＡＰ−ＳＲＳに関連付けられたＲＳとの間の空間的関係を示し、パラメータ「ＳＲＳ−ＳｐａｔｉａｌＲｅｌａｔｉｏｎＩｎｆｏ」として表され、本明細書で使用されるように「第２配置」とも呼ばれることができる。しかしながら、２つの上位層配置の間の関係は、３ＧＰＰ仕様書において明確に規定されていない。
【００６５】
いくつかの実施形態では、第１配置が配置されている場合、端末デバイス１２０は、第２配置で配置されることが予期されていなくてもよい。この場合、第１配置はＡＰ−ＳＲＳがＡＰ−ＣＳＩ−ＲＳに関連付けられたことを示す場合、ＡＰ−ＣＳＩ−ＲＳは、上述したように、ＡＰ−ＳＲＳに対するトリガと同じスロットで伝送されてもよい。また、第１配置はＡＰ−ＳＲＳがＰ−ＣＳＩ−ＲＳ又はＳＰ−ＣＳＩ−ＲＳに関連付けられたことを示す場合、Ｐ−ＣＳＩ−ＲＳ又はＳＰ−ＣＳＩ−ＲＳは、それ自身の配置に基づいて伝送されてもよい。即ち、Ｐ−ＣＳＩ−ＲＳ又はＳＰ−ＣＳＩ−ＲＳは、上述したように、ＡＰ−ＳＲＳに対するトリガと同じスロットで伝送される必要はないことがある。
【００６６】
いくつかの実施形態では、第２配置が配置されている場合、第１配置が配置されるか否かにかかわらず（又は端末デバイス１２０は、第１配置で配置されることが予期されない場合）、ＳＲＳは第２配置で示されたＲＳに基づいて伝送されてもよい。例えば、第２配置は、ＳＲＳに関連付けられたＲＳが、ＣＳＩ−ＲＳ、別のＳＲＳ、ＳＳＢ／ＰＢＣＨのいずれかであることができることを示してもよい。この場合、ＳＲＳ要求フィールドがＤＣＩに存在し、及び／又はＳＲＳ要求フィールドの値が「００」でない場合でも、ＳＲＳのトリガと同じスロットでのＣＳＩ−ＲＳ伝送は必要しないことがある。
【００６７】
いくつかの実施形態では、ＡＰ−ＳＲＳがＡＰ−ＣＳＩ−ＲＳに関連付けられた場合、ＡＰ−ＳＲＳに関連付けられたＡＰ−ＣＳＩ−ＲＳは、ＤＣＩにおけるＳＲＳ要求フィールドによって暗黙的にトリガされてもよい。即ち、ＡＰ−ＳＲＳとＡＰ−ＳＲＳに関連付けられたＡＰ−ＣＳＩ−ＲＳは、共同でトリガされることができる。いくつかの実施形態では、ＲＳポートの異なる準コロケーション（ＱＣＬ：Ｑｕａｓｉ−Ｃｏ−Ｌｏｃａｔｉｏｎ）を示すために、異なる準コロケーションタイプは端末デバイス１２０に対して配置されることができる。いくつかの実施形態では、ＱＣＬタイプＤが（Ｓｐａｔｉａｌ  Ｒｘパラメータに関して）配置されている場合、ＡＰ−ＳＲＳに対するトリガの伝送と、ＡＰ−ＳＲＳに関連付けられたＡＰ−ＣＳＩ−ＲＳの伝送との間にスロットオフセットが存在するはずである。また、上述したように、ＡＰ−ＣＳＩ−ＲＳ受信とＡＰ−ＳＲＳ伝送との間の時間間隔は、所定のＯＦＤＭシンボル数（例えば、４２シンボル）以上であるべきである。この場合、ＡＰ−ＣＳＩ−ＲＳ伝送用のスロットオフセット及びＡＰ−ＳＲＳ伝送用のスロットオフセットは決定されることができる。
【００６８】
現在の３ＧＰＰ仕様では、ＡＰ−ＳＰＳリソースセット用のスロットオフセットは、１、２、．．．、８スロットのいずれかであることができる。一方、ＡＰ−ＣＳＩ−ＲＳ伝送用のスロットオフセットは、０、１、２、３、４、２０、２４スロットなどのいずれかであることができる。いくつかの実施形態では、ＡＰ−ＳＰＳ伝送用のスロットオフセットは、３よりも大きくてもよい。即ち、端末デバイス１２０にとって、ＡＰ−ＣＳＩ−ＲＳ受信とＡＰ−ＳＲＳ伝送との間に十分な時間がない可能性があるため、ＡＰ−ＳＰＳリソースセット用のスロットオフセットの値は、１、２、又は３スロットであることができない。いくつかの実施形態では、ＡＰ−ＣＳＩ−ＲＳ伝送用のスロットオフセットが８よりも大きい場合、ＡＰ−ＳＲＳ伝送のための関連するＣＳＩ−ＲＳはサポートされない可能性がある。いくつかの実施形態では、ＱＣＬタイプＤが配置されている場合、ＡＰ−ＣＳＩ−ＲＳ伝送用のスロットオフセットは０ではないことがある。いくつかの実施形態では、ＡＰ−ＣＳＩ−ＲＳ伝送用のスロットオフセットの値は、１、２、及び３スロットのうちのいずれかのみであり得る。
【００６９】
いくつかの実施形態では、ＡＰ−ＣＳＩ−ＲＳ伝送用のスロットオフセットは、ＳＲＳに対するトリガの伝送用のスロットオフセットの指示を介して示されることができる。即ち、ＳＲＳに対するトリガの伝送用のスロットオフセットの指示は、ＳＲＳに対するトリガの伝送用のスロットオフセットとＡＰ−ＣＳＩ−ＲＳ伝送用のスロットオフセットとの両方を共同で示すように、異なる記述を有することができる。
【００７０】
いくつかの実施形態では、ＳＲＳ伝送のためのＳＲＳ配置は、ＡＰ−ＳＲＳ伝送に先立って、ネットワークデバイス１１０から端末デバイス１２０に示されてもよい。例えば、ＳＲＳ配置は、ＳＲＳ伝送用のスロットオフセットを示すフィールドを含んでもよい。いくつかの実施形態では、ＡＰ−ＳＲＳ伝送のための関連するＣＳＩ−ＲＳがＡＰ−ＣＳＩ−ＲＳであり、且つこのＣＳＩ−ＲＳ又は任意のＴＣＩ状態に対してＱＣＬタイプＤが配置されている場合、ＡＰ−ＳＲＳ伝送用のスロットオフセットを最初に示す該フィールドは、ＳＲＳに対するトリガの伝送用のスロットオフセットとＡＰ−ＣＳＩ−ＲＳ伝送用のスロットオフセットとの組み合わせを示すために使用されることができる。いくつかの実施形態では、ＡＰ−ＳＲＳ伝送のための関連するＣＳＩ−ＲＳがＡＰ−ＣＳＩ−ＲＳであり、且ついずれのＴＣＩ状態に対してもＱＣＬタイプＤが配置されていない場合、このフィールドは、ＡＰ−ＳＲＳ伝送用のスロットオフセットを示すだけであってもよい。
【００７１】
いくつかの実施形態では、ＡＰ−ＳＲＳ伝送のための関連するＣＳＩ−ＲＳがＡＰ−ＣＳＩ−ＲＳである場合、スロットオフセットに関するフィールドの可能な値は、場合によっては異なってもよい。いくつかの実施形態では、ＴＣＩ状態のいずれに対してもＱＣＬタイプＤが配置されていない場合、フィールドの値は、集合Ｐから選択されてもよい。例えば、Ｐ＝｛１、２，３，４，５，６，７，８｝である。いくつかの実施形態では、ＱＣＬタイプＤは、関連するＣＳＩ−ＲＳ又は任意のＴＣＩ状態に対して配置されている場合、フィールドの値は、別の集合Ｑから選択されてもよい。例えば、集合Ｑは、集合Ｐと異なってもよい。具体的に、いくつかの状況では、集合Ｑが集合Ｐの部分集合であってもよい。例えば、Ｑ＝｛４，５，６，７，８｝である。
【００７２】
いくつかの実施形態では、ＡＰ−ＳＲＳと、ＡＰ−ＳＲＳに関連付けられたＡＰ−ＣＳＩ−ＲＳとが、ＤＣＩにおけるＳＲＳ要求フィールドを介して共同でトリガされる場合、端末デバイス１２０によるＡＰ−ＣＳＩ−ＲＳの受信は、ＳＲＳに対するトリガ（即ち、ＳＲＳ要求フィールドを含むＤＣＩ）の受信よりも遅くてもよい。具体的に、いくつかの実施形態では、ＡＰ−ＳＲＳに関連付けられたＡＰ−ＣＳＩ−ＲＳの受信とＡＰ−ＳＲＳ伝送との間の時間間隔は、所定のＯＦＤＭシンボル数（例えば、４２ＯＦＤＭシンボル）以上であるべきである。例えば、ＡＰ−ＣＳＩ−ＲＳ伝送用の利用可能なスロットオフセットは、１、２、３スロットのいずれかであってもよい。従って、ＡＰ−ＳＲＳ伝送用の利用可能なスロットオフセットは、５、６、７、８スロットのいずれかであってもよい。例えば、ＡＰ−ＣＳＩ−ＲＳ伝送用のスロットオフセットが１スロットである場合、ＡＰ−ＳＲＳ伝送用のスロットオフセットは５、６、７、又は８スロットであることができる。ＡＰ−ＣＳＩ−ＲＳ伝送用のスロットオフセットが２スロットである場合、ＡＰ−ＳＲＳ伝送用のスロットオフセットは６、７又は８スロットであることができる。ＡＰ−ＣＳＩ−ＲＳ伝送用のスロットオフセットが３スロットである場合、ＡＰ−ＳＲＳ伝送用のスロットオフセットは７又は８スロットであることができる。即ち、ＡＰ−ＣＳＩ−ＲＳ伝送用のスロットオフセットとＡＰ−ＳＲＳ伝送用のスロットオフセットとの可能な組み合わせは合計９つある。いくつかの実施形態では、ＡＰ−ＣＳＩ−ＲＳ伝送用のスロットオフセットとＡＰ−ＳＲＳ伝送用のスロットオフセットが共同で示されている場合、９つの可能な組み合わせのうちの８つのみが選択されることができる。即ち、ＡＰ−ＣＳＩ−ＲＳ伝送用のスロットオフセットとＡＰ−ＳＲＳ伝送用のスロットオフセットの両方を共同で示すために、３ビットのみが使用されることができる。いくつかの実施形態では、ＡＰ−ＣＳＩ−ＲＳのスロットオフセットとＡＰ−ＳＲＳのスロットオフセットの両方のための組合指示があってもよい。例えば、指示は、Ｃｉとして表記されてもよく、ここで、Ｃｉは、２つの値Ａｉ及びＢｉを含むので、（Ａｉ，Ｂｉ）として表記されてもよく、ここで、Ａｉは、ＡＰ−ＣＳＩ−ＲＳ用のスロットオフセットであり、Ｂｉは、ＡＰ−ＳＲＳ用のスロットオフセットである。いくつかの実施形態では、Ｃｉは、｛（１，５），（１，６），（１，７），（１，８），（２，６），（２，７），（２，８），（３，７），（３，８）｝のうちの１つであってもよい。いくつかの実施形態では、ＡＰ−ＣＳＩ−ＲＳ伝送用のスロットオフセットとＡＰ−ＳＲＳ伝送用のスロットオフセットの両方を共同で示すために、合計９つの組み合わせのうちの８つは選択されることができる。即ち、Ｃｉは、｛（１，５），（１，６），（１，７），（１，８），（２，６），（２，７），（２，８），（３，７）｝のうちの１つであってもよい。表２は、ＡＰ−ＣＳＩ−ＲＳ伝送用のスロットオフセットとＡＰ−ＳＲＳ伝送用のスロットオフセットとの選択可能な８つの組み合わせの例を示す。
表２：ＡＰ−ＳＲＳ用のＳＲＳ要求値
2021530123.tif 000004
【００７３】
いくつかの実施形態では、ＡＰ−ＳＲＳがＡＰ−ＣＳＩ−ＲＳに関連付けられた場合、ＡＰ−ＳＲＳに関連付けられたＡＰ−ＣＳＩ−ＲＳは、ＤＣＩにおけるＣＳＩ要求フィールドによってトリガされるとともに、ＡＰ−ＳＲＳは、ＤＣＩにおけるＳＲＳ要求フィールドによってトリガされてもよい。即ち、ＡＰ−ＳＲＳとＡＰ−ＳＲＳに関連付けられたＡＰ−ＣＳＩ−ＲＳは別々にトリガされることができる。関連するＣＳＩ−ＲＳは、ＲＳリソースセットではなくＣＳＩ−ＲＳリソースに基づいており、ＡＰ−ＳＲＳはＳＲＳリソースセットに基づいている。いくつかの実施形態では、この場合、端末デバイス１２０は、ＳＲＳリソースセットに対して１つのＣＳＩ−ＲＳリソースのみで配置されてもよい。いくつかの実施形態では、この場合、ＡＰ−ＳＲＳに対するトリガの伝送とＡＰ−ＳＲＳ伝送との間の時間間隔は、所定のＯＦＤＭシンボル数（即ち、４２シンボル）以上であるべきである。いくつかの実施形態では、トリガされたＡＰ−ＣＳＩ−ＲＳ伝送は、ＡＰ−ＳＲＳに対するトリガの伝送よりも早くあるべきではなく、ＡＰ−ＣＳＩ−ＲＳ受信とＡＰ−ＳＲＳ伝送との間の時間間隔は、４２シンボルよりも小さくなくてもよい。
【００７４】
いくつかの実施形態では、ＡＰ−ＳＲＳに関連付けられたＲＳがＰ−ＣＳＩ−ＲＳ、ＳＰ−ＣＳＩ−ＲＳ、又はＡＰ−ＣＳＩ−ＲＳである場合、ＡＰ−ＣＳＩ−ＲＳの受信の最後のシンボル、又はＡＰ−ＳＲＳ伝送の最初又は最後のシンボルよりも前の又はそれよりも遅くない直近のＰ−ＣＳＩ−ＲＳ又はＳＰ−ＣＳＩ−ＲＳの受信の最後のシンボルから、ＡＰ−ＳＲＳ伝送の最初のシンボルまでの時間間隔がＴとして表されると仮定する。代替的に、いくつかの実施形態では、ＡＰ−ＳＲＳに関連付けられたＲＳがＰ−ＣＳＩ−ＲＳ、ＳＰ−ＣＳＩ−ＲＳ、又はＡＰ−ＣＳＩ−ＲＳである場合、ＡＰ−ＣＳＩ−ＲＳの受信の最後のシンボル、又はＳＲＳ要求フィールドを有するＤＣＩの受信の最初又は最後のシンボルよりも前の又はそれよりも遅くない直近のＰ−ＣＳＩ−ＲＳ又はＳＰ−ＣＳＩ−ＲＳの受信の最後のシンボルから、ＡＰ−ＳＲＳ伝送の最初のシンボルまでの時間間隔もＴとして表されると仮定する。代替的に、いくつかの実施形態では、ＡＰ−ＳＲＳに関連付けられたＲＳがＰ−ＣＳＩ−ＲＳ、ＳＰ−ＣＳＩ−ＲＳ又はＡＰ−ＣＳＩ−ＲＳである場合、ＡＰ−ＣＳＩ−ＲＳの受信の最後のシンボル、又はＳＲＳ要求フィールドを有するＤＣＩの受信の最初又は最後のシンボルの直後の又はそれよりも早くない直近のＰ−ＣＳＩ−ＲＳ又はＳＰ−ＣＳＩ−ＲＳの受信の最後のシンボルと、ＡＰ−ＳＲＳ伝送の最初のシンボルとの間の時間間隔もＴとして表されると仮定する。代替的に、いくつかの実施形態では、ＡＰ−ＳＲＳに関連付けられたＲＳがＰ−ＣＳＩ−ＲＳ、ＳＰ−ＣＳＩ−ＲＳ、又はＡＰ−ＣＳＩ−ＲＳである場合、ＳＲＳ要求フィールドを有するＤＣＩの受信の最初又は最後のシンボルと、ＡＰ−ＳＲＳ伝送の最初のシンボルとの間の時間間隔もＴとして表されると仮定する。
【００７５】
いくつかの実施形態では、時間間隔Ｔが所定の閾値ＴＨ以下である場合、端末デバイス１２０は、トリガされたＡＰ−ＳＲＳを伝送することが予期されなくてもよく、又は伝送することが要求されなくてもよく、又は伝送しなくてもよい。いくつかの実施形態では、時間間隔Ｔが所定の閾値ＴＨ以下である場合、ネットワークデバイス１１０は、トリガされたＡＰ−ＳＲＳを受信することが予期されなくてもよく、又は受信することが要求されなくてもよく、又は受信しない。いくつかの実施形態では、時間間隔Ｔが所定の閾値ＴＨ以上である場合、端末デバイス１２０は、トリガされたＡＰ−ＳＲＳを伝送することが要求されてもよく、又は伝送することが予期されてもよく、又は伝送する。いくつかの実施形態では、時間間隔Ｔが所定の閾値ＴＨ以上である場合、ネットワークデバイス１１０は、トリガされたＡＰ−ＳＲＳを受信することが予期されてもよく、又は受信することが要求されてもよく、又は受信する。
【００７６】
いくつかの実施形態では、時間間隔Ｔは、一定のスロット数、シンボル数、又はマイクロ秒を表してもよい。いくつかの実施形態では、閾値ＴＨは、所定のスロット数、シンボル数、又はマイクロ秒であってもよい。例えば、いくつかの実施形態では、閾値ＴＨは、３スロット又は４２シンボルであってもよい。
【００７７】
いくつかの実施形態では、閾値ＴＨは、場合によっては異なってもよい。例えば、ＡＰ−ＣＳＩ−ＲＳ又はＳＰ−ＣＳＩ−ＲＳに対してＱＣＬタイプＤが配置されている場合、又はＴＣＩ状態のいずれかに対してＱＣＬタイプＤが配置されている場合に、閾値ＴＨがＴＨ１に等しくてもよいと仮定する。ＡＰ−ＣＳＩ−ＲＳ又はＳＰ−ＣＳＩ−ＲＳに対してＱＣＬタイプＤが配置されていない場合、又はＴＣＩ状態のいずれに対してもＱＣＬタイプＤが配置されていない場合に、閾値ＴＨがＴＨ２に等しくてもよいと仮定する。いくつかの実施形態では、ＴＨ１≠ＴＨ２である。例えば、ＴＨ１＞ＴＨ２である。別の例として、ＴＨ１＜ＴＨ２である。
【００７８】
いくつかの実施形態では、ＡＰ−ＣＳＩ−ＲＳに対するトリガの伝送又はＡＰ−ＳＲＳに対するトリガの伝送と、ＡＰ−ＣＳＩ−ＲＳ受信との間の時間間隔は、所定の閾値よりも小さく、又は所定の閾値以下である場合、端末デバイス１２０によって予期されるＡＰ−ＣＳＩ−ＲＳの伝送はない。これは、時間間隔が所定の閾値以下である場合、端末デバイス１２０によってＡＰ−ＣＳＩ−ＲＳの受信にデフォルトビームが使用される可能性があり、その結果、ＡＰ−ＣＳＩ−ＲＳとＡＰ−ＳＲＳとの関連付けが意味なくなるからである。
【００７９】
いくつかの実施形態では、端末デバイス１２０に示されるＤＣＩは、ＳＲＳリソースインジケータ（ＳＲＩ）を含んでもよい。端末デバイス１２０は、示されたＳＲＩに基づいて、ＵＬ伝送に関するいくつかの配置を決定してもよい。例えば、端末デバイス１２０は、示されたＳＲＩに基づいて、ＰＵＳＣＨプリコーダ、伝送ランク等のうちの少なくとも１つを決定してもよい。いくつかの実施形態では、端末デバイス１２０は、１つ又は複数のＳＲＳリソースセットで配置されてもよく、この１つ又は複数のＳＲＳリソースセットのそれぞれは、１つ又は複数のＳＲＳリソースを含んでもよい。いくつかの実施形態では、示されるＳＲＩは、１つ又は複数のＳＲＳリソースに関連付けられてもよい。例えば、ＳＲＩは、特定のスロットで示されてもよく、そして、ＳＲＩを運ぶ物理ダウンリンク制御チャネル（ＰＤＣＰＣＨ：Ｐｈｙｓｉｃａｌ  Ｄｏｗｎｌｉｎｋ  Ｃｏｎｔｒｏｌ  Ｃｈａｎｎｅｌ）よりも前に伝送される直近のＳＲＳリソースセットにおけるＳＲＩによって識別される１つ又は複数のＳＲＳリソースに関連付けられてもよい。ＳＲＩに関連付けられた直近のＳＲＳリソースセットは、ＳＲＩを運ぶＰＤＣＣＨよりも前に伝送される直近のＳＲＳリソースを含むものであってもよい。図５は、そのような実施形態の一例を示す。図５に示すように、ＳＲＩはスロットＮ＋Ｍで示される。ＳＲＳリソースセットＳ１は、ＳＲＩを運ぶＰＤＣＣＨよりも前に伝送される直近のＳＲＳリソースセットである。ＳＲＳリソースセットＳ１は、それぞれスロットＮ、Ｎ＋Ｋ１、Ｎ＋Ｋ３、Ｎ＋Ｋ４で伝送されるＳＲＳリソースを含む。スロットＮ＋Ｋ２で伝送されるＳＲＳリソースは、別のＳＲＳリソースセットＳ２に属する。この場合、スロットＮ＋Ｍで示されるＳＲＩは、スロットＮ、Ｎ＋Ｋ１、Ｎ＋Ｋ３、及びＮ＋Ｋ４で伝送されるＳＲＳリソースに関連付けられているが、スロットＮ＋Ｋ２で伝送されるＳＲＳリソースに関連付けられていない。
【００８０】
いくつかの実施形態では、非コードブックベースのＵＬ伝送について、端末デバイス１２０は、１つのＳＲＳリソースセットのみで配置されてもよい。いくつかの実施形態では、あるスロットで示されるＳＲＩは、ＳＲＩによって識別される１つ又は複数のＳＲＳリソースが非コードブックベースのＵＬ伝送のために配置されたＳＲＳリソースセットに属し、且つ該１つ又は複数のＳＲＳリソースがＳＲＩを運ぶＰＤＣＣＨよりも前に伝送されれば、該１つ又は複数のＳＲＳリソースの直近の伝送に関連付けられてもよい。
【００８１】
図６は、本開示のいくつかの実施形態にかかる例示的な方法６００のフローチャートを示す。方法６００は、図１に示すような端末デバイス１２０で実装されることができる。方法６００は、図示されない追加のブロックを含み、及び／又は図示されているいくつかのブロックを省略してもよく、本開示の範囲は、この点で限定されないと理解される。検討の目的のために、方法６００は、図１を参照する端末デバイス１２０の観点から説明される。
【００８２】
ブロック６１０において、端末デバイス１２０は、ネットワークデバイス１１０からダウンリンク制御情報（ＤＣＩ）を受信する。
【００８３】
ブロック６２０において、ＤＣＩが非周期的ＳＲＳに対する第１トリガを含み、且つ非周期的ＳＲＳが参照信号（ＲＳ）に関連付けられたことに応答して、端末デバイス１２０は、ネットワークデバイス１１０からＲＳを受信する。
【００８４】
ブロック６３０において、端末デバイス１２０は、受信したＲＳに基づいて、非周期的ＳＲＳに関するプリコーディング情報を決定する。
【００８５】
ブロック６４０において、端末デバイス１２０は、プリコーディング情報に基づいて、非周期的ＳＲＳをネットワークデバイス１１０に伝送する。
【００８６】
いくつかの実施形態では、ＲＳは、非周期的チャネル状態情報参照信号（ＣＳＩ−ＲＳ）、周期的ＣＳＩ−ＲＳ、半永続的ＣＳＩ−ＲＳ、復調参照信号（ＤＭＲＳ）、位相トラッキング参照信号（ＰＴＲＳ）、トラッキング参照信号（ＴＲＳ）、及びＳＲＳのうちのいずれかである。
【００８７】
いくつかの実施形態では、非周期的ＳＲＳに関連付けられたＲＳは非周期的ＣＳＩ−ＲＳであり、ＤＣＩは第１スロットで受信される。端末デバイス１２０は、第１スロットでネットワークデバイスから非周期的ＣＳＩ−ＲＳを受信することで、ＲＳを受信する。
【００８８】
いくつかの実施形態では、非周期的ＳＲＳに関連付けられたＲＳは周期的ＣＳＩ−ＲＳ又は半永続的ＣＳＩ−ＲＳであり、ＤＣＩは第１スロットで受信される。端末デバイス１２０は、第１スロットと異なる第２スロットでネットワークデバイスから周期的ＣＳＩ−ＲＳ又は半永続的ＣＳＩ−ＲＳを受信することで、ＲＳを受信する。
【００８９】
いくつかの実施形態では、端末デバイス１２０は、ネットワークデバイス１１０からのＲＳの受信と非周期的ＳＲＳの伝送との間の時間間隔を決定する。次に、端末デバイス１２０は、時間間隔に基づいて、非周期的ＳＲＳをネットワークデバイス１１０に伝送する。
【００９０】
いくつかの実施形態では、非周期的ＳＲＳに関連付けられたＣＳＩ−ＲＳは、非周期的ＣＳＩ−ＲＳであり、時間間隔は、所定の直交周波数分割多重シンボル数以上である。
【００９１】
いくつかの実施形態では、非周期的ＳＲＳに関連付けられたＣＳＩ−ＲＳは、周期的ＣＳＩ−ＲＳ又は半永続的ＣＳＩ−ＲＳであり、時間間隔は、所定の直交周波数分割多重シンボル数未満である。
【００９２】
いくつかの実施形態では、非周期的ＳＲＳに関連付けられたＲＳはＣＳＩ−ＲＳである。端末デバイス１２０は、ネットワークデバイスから、非周期的ＳＲＳとＣＳＩ−ＲＳとの間の関連付けに関する第１配置を受信する。端末デバイス１２０は、第１配置に基づいて、非周期的ＳＲＳに関連付けられたＣＳＩ−ＲＳが非周期的であるか、周期的であるか、又は半永続的であるかを決定する。
【００９３】
いくつかの実施形態では、端末デバイス１２０は、少なくとも第１配置に基づいてネットワークデバイス１１０からＣＳＩ−ＲＳを受信することで、ＲＳを受信する。
【００９４】
いくつかの実施形態では、端末デバイス１２０は、ネットワークデバイス１１０から、非周期的ＳＲＳとＲＳとの間の空間的関係を示す第２配置を受信する。端末デバイス１２０は、第２配置に基づいて、非周期的ＳＲＳに関連付けられたＲＳを決定する。
【００９５】
いくつかの実施形態では、非周期的ＳＲＳに関連付けられたＣＳＩ−ＲＳは非周期的ＣＳＩ−ＲＳであり、非周期的ＣＳＩ−ＲＳは、非周期的ＳＲＳに対する第１トリガによってトリガされる。端末デバイス１２０は、非周期的ＣＳＩ−ＲＳを受信するための第１スロットオフセットを決定し、且つ第１スロットオフセットに基づいて非周期的ＣＳＩ−ＲＳを受信することで、ＲＳを受信する。
【００９６】
いくつかの実施形態では、端末デバイス１２０は、少なくとも第１スロットオフセットに基づいて、非周期的ＳＲＳをネットワークデバイスに伝送するための第２スロットオフセットを決定する。端末デバイス１２０は、第２スロットオフセットに基づいて、非周期的ＳＲＳをネットワークデバイスに伝送する。
【００９７】
図７は、本開示のいくつかの実施形態にかかる例示的な方法７００のフローチャートを示す。方法７００は、図１に示すようなネットワークデバイス１１０で実装されることができる。方法７００は、図示されない追加のブロックを含み、及び／又は図示されているいくつかのブロックを省略してもよく、本開示の範囲は、この点で限定されないと理解される。検討の目的のために、方法７００は、図１を参照するネットワークデバイス１１０の観点から説明される。
【００９８】
ブロック７１０において、ネットワークデバイス１１０は、ダウンリンク制御情報（ＤＣＩ）を端末デバイス１２０に伝送する。
【００９９】
ブロック７２０において、ＤＣＩが非周期的ＳＲＳに対する第１トリガを含み、且つ非周期的ＳＲＳが参照信号（ＲＳ）に関連付けられたことに応答して、ネットワークデバイス１１０は、ＲＳを端末デバイス１２０に伝送する。
【０１００】
ブロック７３０において、ネットワークデバイス１１０は、端末デバイスから非周期的ＳＲＳを受信する。非周期的ＳＲＳは、端末デバイス１２０によって少なくともＲＳに基づいて伝送される。
【０１０１】
いくつかの実施形態では、ＲＳは、非周期的チャネル状態情報参照信号（ＣＳＩ−ＲＳ）、周期的ＣＳＩ−ＲＳ、半永続的ＣＳＩ−ＲＳ、復調参照信号（ＤＭＲＳ）、位相トラッキング参照信号（ＰＴＲＳ）、トラッキング参照信号（ＴＲＳ）、及びＳＲＳのうちのいずれかである。
【０１０２】
いくつかの実施形態では、非周期的ＳＲＳに関連付けられたＲＳは非周期的ＣＳＩ−ＲＳであり、ＤＣＩは第１スロットで伝送される。ネットワークデバイス１１０は、第１スロットで非周期的ＣＳＩ−ＲＳを端末デバイスに伝送することで、ＲＳを伝送する。
【０１０３】
いくつかの実施形態では、非周期的ＳＲＳに関連付けられたＲＳは周期的ＣＳＩ−ＲＳ又は半永続的ＣＳＩ−ＲＳであり、ＤＣＩは第１スロットで伝送される。ネットワークデバイス１１０は、第１スロットと異なる第２スロットで周期的ＣＳＩ−ＲＳ又は半永続的ＣＳＩ−ＲＳを端末デバイスに伝送することでＲＳを伝送する。
【０１０４】
いくつかの実施形態では、ネットワークデバイス１１０は、ネットワークデバイス１１０から端末デバイス１２０へのＲＳの受信と、端末デバイス１２０からネットワークデバイス１１０への非周期的ＳＲＳの伝送との間の時間間隔を決定する。ネットワークデバイス１１０は、時間間隔に基づいて、端末デバイス１２０から非周期的ＳＲＳを受信する。
【０１０５】
いくつかの実施形態では、非周期的ＳＲＳに関連付けられたＣＳＩ−ＲＳは非周期的ＣＳＩ−ＲＳであり、時間間隔は、所定の直交周波数分割多重シンボル数以上である。
【０１０６】
いくつかの実施形態では、非周期的ＳＲＳに関連付けられたＣＳＩ−ＲＳは周期的ＣＳＩ−ＲＳ又は半永続的ＣＳＩ−ＲＳであり、時間間隔は、所定の直交周波数分割多重シンボル数未満である。
【０１０７】
いくつかの実施形態では、非周期的ＳＲＳに関連付けられたＲＳはＣＳＩ−ＲＳである。ネットワークデバイス１１０は、非周期的ＳＲＳとＣＳＩ−ＲＳとの間の関連付けに関する第１配置を端末デバイスに伝送する。第１配置は、非周期的ＳＲＳに関連付けられたＣＳＩ−ＲＳが非周期的であるか、周期的であるか、又は半永続的であるかを示す。
【０１０８】
いくつかの実施形態では、ネットワークデバイス１１０は、少なくとも第１配置に基づいてＣＳＩ−ＲＳを端末デバイス１２０に伝送することで、ＲＳを伝送する。
【０１０９】
いくつかの実施形態では、ネットワークデバイス１１０は、端末デバイス１２０が非周期的ＳＲＳとＲＳとの間の空間的関係を示す第２配置に基づいて非周期的ＳＲＳに関連付けられたＲＳを決定するように、第２配置を端末デバイス１２０に伝送する。
【０１１０】
いくつかの実施形態では、非周期的ＳＲＳに関連付けられたＣＳＩ−ＲＳは非周期的ＣＳＩ−ＲＳであり、非周期的ＣＳＩ−ＲＳは、非周期的ＳＲＳに対する第１トリガによってトリガされる。ネットワークデバイス１１０は、非周期的ＣＳＩ−ＲＳを伝送するための第１スロットオフセットを決定し、且つ第１スロットオフセットに基づいて非周期的ＣＳＩ−ＲＳを伝送することで、ＲＳを伝送する。
【０１１１】
いくつかの実施形態では、ネットワークデバイス１１０は、少なくとも第１スロットオフセットに基づいて、端末デバイスから非周期的ＳＲＳを受信するための第２スロットオフセットを決定する。ネットワークデバイス１１０は、第２スロットオフセットに基づいて、端末デバイスから非周期的ＳＲＳを受信する。
【０１１２】
いくつかの実施形態では、非周期的ＳＲＳに関連付けられたＣＳＩ−ＲＳは非周期的ＣＳＩ−ＲＳであり、ＤＣＩは、非周期的ＣＳＩ−ＲＳに対する第２トリガをさらに含む。
【０１１３】
本開示の実施形態は、上記課題及び１つ又は複数の他の潜在的な課題を解決するために、ＳＲＳ伝送のためのソリューションを提供することが分かる。このソリューションでは、ＳＲＳ要求フィールドがＤＣＩに含まれていない場合、又はＤＣＩにおけるＳＲＳ要求フィールドはトリガされるＡＰ−ＳＲＳがないことを示す場合に、ＡＰ−ＳＲＳに関連付けられたＡＰ−ＣＳＩ−ＲＳは伝送されないことにより、通信オーバーヘッドを低減することができる。また、このソリューションは、ＡＰ−ＳＲＳに関連付けられたＰ−ＣＳＩ−ＲＳ又はＳＰ−ＣＳＩ−ＲＳを制限なくサポートすることができる。
【０１１４】
図８は、本開示の実施形態の実施に適するデバイス８００の簡略的なブロック図である。デバイス８００は、図１に示すようなネットワークデバイス１１０のさらなる例示的なものと見なされることができる。そのため、デバイス８００は、ネットワークデバイス１１０の少なくとも一部で実装され、又は少なくともその一部として実装されることができる。
【０１１５】
図示されるように、デバイス８００は、プロセッサ８１０と、プロセッサ８１０に接続されているメモリ８２０と、プロセッサ８１０に接続されている適切な伝送機（ＴＸ）及び受信機（ＲＸ）８４０と、ＴＸ／ＲＸ８４０に接続されている通信インターフェースとを備える。メモリ８１０は、プログラム８３０の少なくとも一部を格納する。ＴＸ／ＲＸ８４０は、双方向通信用である。ＴＸ／ＲＸ８４０は、通信を容易にするために少なくとも１つのアンテナを有するが、実際には、本明細書で言及されるアクセスノードは複数あってもよい。通信インターフェースは、ｅＮＢ間の双方向通信用のＸ２インターフェース、Ｍｏｂｉｌｉｔｙ  Ｍａｎａｇｅｍｅｎｔ  Ｅｎｔｉｔｙ（ＭＭＥ）／Ｓｅｒｖｉｎｇ  Ｇａｔｅｗａｙ（Ｓ−ＧＷ）とｅＮＢとの間の通信用のＳ１インターフェース、ｅＮＢとリレーノード（ＲＮ）との間の通信用のＵｎインターフェース、又はｅＮＢと端末デバイスとの間の通信用のＵｕインターフェースなど、他のネットワーク要素との通信に必要な任意のインターフェースを表してもよい。
【０１１６】
プログラム８３０は、関連するプロセッサ８１０によって実行されると、デバイス８００が、本明細書で図１〜図７を参照して説明したように、本開示の実施形態に従って動作することを可能にするプログラム命令を含むと想定される。本開示の実施形態は、デバイス８００のプロセッサ８１０によって実行可能なコンピュータソフトウェアにより、又はハードウェアにより、又はソフトウェアとハードウェアの組み合わせにより実装されてもよい。プロセッサ８１０は、本開示の様々な実施形態を実施するように構成されてもよい。さらに、プロセッサ８１０とメモリ８２０の組み合わせは、本開示の様々な実施形態を実施するのに適した処理手段８５０を形成してもよい。
【０１１７】
メモリ８２０は、ローカル技術ネットワークに適した任意のタイプのものであってもよく、非限定的な例として、非一時的なコンピュータ読み取り可能な記憶媒体、半導体系のメモリデバイス、磁気メモリデバイス及びシステム、光メモリデバイス及びシステム、固定メモリ及びリムーバブルメモリなどの任意の適切なデータストレージ技術を使用して実施されてもよい。デバイス８００には１つのメモリ８２０のみが示されているが、デバイス８００には物理的に別個である複数のメモリモジュールがあってもよい。プロセッサ８１０は、ローカル技術ネットワークに適した任意のタイプのものであってもよく、非限定的な例として、汎用コンピュータ、専用コンピュータ、マイクロプロセッサ、デジタル信号プロセッサ（ＤＳＰ：Ｄｉｇｉｔａｌ  Ｓｉｇｎａｌ  Ｐｒｏｃｅｓｓｏｒ）、及びマルチコアプロセッサアーキテクチャに基づくプロセッサのうちの１つ又は複数を含んでもよい。デバイス８００は、メインプロセッサを同期させるクロックに時間的に従属する特定用途向け集積回路チップなどの複数のプロセッサを有してもよい。
【０１１８】
一般的に、本開示の様々な実施形態は、ハードウェア又は専用回路、ソフトウェア、ロジック、又はそれらの任意の組み合わせで実装されてもよい。いくつかの態様はハードウェアで実装され、他の態様はコントローラ、マイクロプロセッサ、又は他のコンピューティングデバイスによって実行され得るファームウェア又はソフトウェアで実装されてもよい。本開示の実施形態の様々な態様は、ブロック図、フローチャート、又は他の何らかの画像表現を使用して例示及び説明されたが、本明細書に記載されるこれらのブロック、装置、システム、技術又は方法は、非限定的な例として、ハードウェア、ソフトウェア、ファームウェア、専用回路又はロジック、汎用ハードウェア又はコントローラ又は他のコンピューティングデバイス、又はそれらのいくつかの組み合わせで実装されてもよいことを理解されたい。
【０１１９】
本開示は、さらに、非一時的なコンピュータ読み取り可能な記憶媒体に有形に格納された少なくとも１つのコンピュータプログラム製品を提供する。コンピュータプログラム製品は、図６及び図７を参照して上述したプロセス又は方法を実行するために、プログラムモジュールに含まれるものなどの、対象の実プロセッサ又は仮想プロセッサ上のデバイスで実行されるコンピュータ実行可能な命令を含む。一般的に、プログラムモジュールは、特定のタスクを実行したり、特定の抽象データ型を実装したりするルーチン、プログラム、ライブラリ、オブジェクト、クラス、コンポーネント、データ構造などを含む。プログラムモジュールの機能は、様々な実施形態で記載されたプログラムモジュール間で組み合わせる、又は分割されることができる。プログラムモジュールのためのマシン実行可能な命令は、ローカルデバイス又は分散型デバイス内で実行されてもよい。分散型デバイスでは、プログラムモジュールがローカル記憶媒体とリモート記憶媒体の両方に配置されてもよい。
【０１２０】
本開示の方法を実行するためのプログラムコードは、１つ又は複数のプログラミング言語の任意の組み合わせで書かれてもよい。これらのプログラムコードは、汎用コンピュータ、専用コンピュータ、又は他のプログラム可能なデータ処理装置のプロセッサ又はコントローラに提供されることにより、プログラムコードがプロセッサ又はコントローラによって実行されると、フローチャート及び／又はブロック図に規定される機能／動作が実現される。プログラムコードは、完全にマシン上で実行されてもよく、その一部がマシン上で実行されてもよく、スタンドアロンのソフトウェアパッケージとして実行されてもよく、一部がマシン上で実行され且つ一部がリモートマシン上で実行されてもよく、完全にリモートマシン又はサーバ上で実行されてもよい。
【０１２１】
上記プログラムコードは、命令実行システム、装置、又はデバイスによって、又はそれと関連して使用されるためのプログラムを含む又は格納することができる任意の有形媒体であり得るマシン読み取り可能な媒体上で具現化されてもよい。マシン読み取り可能な媒体は、マシン読み取り可能な信号媒体又はマシン読み取り可能な記憶媒体であってもよい。マシン読み取り可能な媒体は、電子、磁気、光学、電磁気、赤外線、又は半導体システム、装置、デバイス、あるいは前記の任意の適切な組み合わせを含むが、これらに限定されない。マシン読み取り可能な記憶媒体のより具体的な例として、１つ又は複数のワイヤによる電気的接続、ポータブルコンピュータディスケット、ハードディスク、ランダムアクセスメモリ（ＲＡＭ）、読み取り専用メモリ（ＲＯＭ）、消去可能なプログラム可能な読み取り専用メモリ（ＥＰＲＯＭ又はフラッシュメモリ）、光ファイバー、ポータブルコンパクトディスク読み取り専用メモリ（ＣＤ−ＲＯＭ）、光学式ストレージデバイス、磁気ストレージデバイス、又は前記の任意の好適な組み合わせが挙げられるが、これらに限定されない。
【０１２２】
さらに、動作が特定の順序で描かれているが、これは、望ましい結果を達成するために、そのような動作が図示の特定の順序又は連続順序で実行されること、又は描かれたすべての動作が実行されることを要求するものとして理解されるべきではない。特定の状況では、マルチタスク及び並列処理が有利であることがある。同様に、上記の説明にはいくつかの特定の実施形態の詳細が含まれているが、これらは本開示の範囲を制限するものとして解釈されるべきではなく、特定の実施形態に特有の特徴の説明として解釈されるべきである。別々の実施形態の文脈で説明されている特定の特徴は、単一の実施形態に組み合わせて実施されてもよい。逆に、単一の実施形態の文脈で説明されている様々な特徴も、複数の実施形態で別々に、又は任意の適切なサブコンビネーションで実装されてもよい。
【０１２３】
本開示は、構造的特徴及び／又は方法論的動作に特有の用語で説明されたが、添付の特許請求の範囲で限定される本開示は、必ずしも上述の特定の特徴又は動作に限定されないことを理解されたい。むしろ、上述の特定の特徴及び動作は、特許請求の範囲を実施する例示的な形態として開示されている。
【図１】
2021530123.tif 000005
【図２】
2021530123.tif 000006
【図３Ａ】
2021530123.tif 000007
【図３Ｂ】
2021530123.tif 000008
【図４】
2021530123.tif 000009
【図５】
2021530123.tif 000010
【図６】
2021530123.tif 000011
【図７】
2021530123.tif 000012
【図８】
2021530123.tif 000013
【手続補正書】
【提出日】令和3年5月7日(2021.5.7)
【手続補正１】
【補正対象書類名】特許請求の範囲
【補正対象項目名】全文
【補正方法】変更
【補正の内容】
【特許請求の範囲】
【請求項１】
ネットワーク装置によって実行される方法であって、
サウンディング参照信号（ＳＲＳ）要求フィールドを含む下り制御情報（ＤＣＩ）を送信すること、及び、
非周期的ＳＲＳ（ＡＰ−ＳＲＳ）に非周期的チャネル状態情報参照信号（ＡＰ−ＣＳＩ−ＲＳ）が関連づけられている場合、前記ＳＲＳ要求フィールドに、トリガされる前記ＡＰ−ＳＲＳのリソースが無いことを示すゼロ値、又は、トリガされる前記ＡＰ−ＳＲＳのリソースを示し且つ前記ＡＰ−ＣＳＩ−ＲＳの存在を示す非ゼロ値を含めること、
を含む方法。
【請求項２】
前記ＳＲＳ要求フィールドの値が非ゼロ値である場合、前記ＤＣＩと同じスロットにて前記ＡＰ−ＣＳＩ−ＲＳを送信することを含む、
請求項１記載の方法。
【請求項３】
前記送信したＤＣＩのＳＲＳ要求フィールドの値が非ゼロ値であり、且つ、端末における前記ＡＰ−ＣＳＩ−ＲＳの受信タイミングと前記ＡＰ−ＳＲＳの送信タイミングとのギャップが閾値以上である場合、前記ＡＰ−ＣＳＩ−ＲＳに基づいて更新されたＳＲＳプレコーディング情報が適用された前記ＡＰ−ＳＲＳを上りで受信する一方、前記送信したＤＣＩのＳＲＳ要求フィールドの値が非ゼロ値であり、且つ、前記ギャップが前記閾値未満である場合、前記ＡＰ−ＣＳＩ−ＲＳに基づいて更新されたＳＲＳプレコーディング情報が適用された前記ＡＰ−ＳＲＳを受信しないことを含む、
請求項１又は２に記載の方法。
【請求項４】
前記ＳＲＳ要求フィールドの値がゼロ値である場合、前記ＡＰ−ＣＳＩ−ＲＳを送信しない、
請求項１から３のいずれか１項に記載の方法。
【請求項５】
端末によって実行される方法であって、
サウンディング参照信号（ＳＲＳ）要求フィールドを含み且つネットワーク装置から送信された下り制御情報（ＤＣＩ）を受信することを含み、
前記端末に非周期的チャネル状態情報参照信号（ＡＰ−ＣＳＩ−ＲＳ）と関連づけられている非周期的ＳＲＳ（ＡＰ−ＳＲＳ）が設定されている場合、前記ＳＲＳ要求フィールドは、トリガされる前記ＡＰ−ＳＲＳのリソースが無いことを示すゼロ値、又は、トリガされる前記ＡＰ−ＳＲＳのリソースを示し且つ前記ＡＰ−ＣＳＩ−ＲＳの存在を示す非ゼロ値を含む、
方法。
【請求項６】
前記受信したＤＣＩのＳＲＳ要求フィールドの値が非ゼロ値である場合、前記ＤＣＩと同じスロットにて前記ネットワーク装置から送信された前記ＡＰ−ＣＳＩ−ＲＳを受信することを含む、
請求項５記載の方法。
【請求項７】
前記ＡＰ−ＣＳＩ−ＲＳの受信タイミングと前記ＡＰ−ＳＲＳの送信タイミングとのギャップが閾値以上である場合、前記ＡＰ−ＳＲＳに適用するＳＲＳプレコーディング情報を、前記受信したＡＰ−ＣＳＩ−ＲＳに基づいて更新する一方、前記ギャップが前記閾値未満である場合、前記ＳＲＳプレコーディング情報を、前記受信したＡＰ−ＣＳＩ−ＲＳに基づいて更新しないことを含む、
請求項５又は６に記載の方法。
【請求項８】
前記ＳＲＳ要求フィールドの値がゼロ値である場合、前記ＡＰ−ＣＳＩ−ＲＳを受信しない、
請求項５から７のいずれか１項に記載の方法。
【請求項９】
通信部と、
制御部と、
を具備し、
前記制御部は、
前記通信部に対して、サウンディング参照信号（ＳＲＳ）要求フィールドを含む下り制御情報（ＤＣＩ）を送信させ、
非周期的ＳＲＳ（ＡＰ−ＳＲＳ）と非周期的チャネル状態情報参照信号（ＡＰ−ＣＳＩ−ＲＳ）とが関連づけられている場合、前記ＳＲＳ要求フィールドに、トリガされる前記ＡＰ−ＳＲＳのリソースが無いことを示すゼロ値、又は、トリガされる前記ＡＰ−ＳＲＳのリソースを示し且つ前記ＡＰ−ＣＳＩ−ＲＳの存在を示す非ゼロ値を含める、
ネットワーク装置。
【請求項１０】
端末であって、
通信部と、
制御部と、
を具備し、
前記制御部は、前記通信部に対して、サウンディング参照信号（ＳＲＳ）要求フィールドを含み且つネットワーク装置から送信された下り制御情報（ＤＣＩ）を受信させ、
前記端末に非周期的チャネル状態情報参照信号（ＡＰ−ＣＳＩ−ＲＳ）と関連づけられている非周期的ＳＲＳ（ＡＰ−ＳＲＳ）が設定されている場合、前記ＳＲＳ要求フィールドは、トリガされる前記ＡＰ−ＳＲＳのリソースが無いことを示すゼロ値、又は、トリガされる前記ＡＰ−ＳＲＳのリソースを示し且つ前記ＡＰ−ＣＳＩ−ＲＳの存在を示す非ゼロ値を含む、
端末。
【国際調査報告】
2021530123.tif 000014
2021530123.tif 000015